(57)【要約】【課題】名称の変更にかかわらず所望のプロスポーツチームの専用施設を確実に検索することができる「施設検索装置」を提供すること。【解決手段】プロスポーツチームの専用施設を検索する施設検索装置１であって、前記プロスポーツチームのチーム名に基づいて、前記プロスポーツチームの専用施設を検索可能に形成されていること。【選択図】図１
2008097343.tif 000002
【特許請求の範囲】
【請求項１】
プロスポーツチームの専用施設を検索する施設検索装置であって、
前記プロスポーツチームのチーム名に基づいて、前記プロスポーツチームの専用施設を検索可能に形成されていること
を特徴とする施設検索装置。
【請求項２】
前記プロスポーツチームの専用施設についての施設名の一覧を表示部に表示する処理を行うスポーツ施設名一覧表示処理装置と、
前記施設名の一覧における各施設にそれぞれ対応するチーム名の一覧を、前記施設名との対応関係が判別可能な状態として前記表示部に表示する処理を行うスポーツチーム名一覧表示処理装置と、
前記スポーツ施設名一覧表示処理装置による前記施設名の一覧の表示と、前記スポーツチーム名一覧表示処理装置による前記チーム名の一覧の表示とを、ユーザの入力操作にしたがって切り替える処理を行う表示切り替え処理装置と
を有し、前記施設名の一覧の表示と前記チーム名の一覧の表示との切り替えによって、チーム名に基づいたプロスポーツチームの専用施設の検索が可能に形成されていること
を特徴とする請求項１に記載の施設検索装置。
【請求項３】
施設の種別およびプロスポーツの種別の少なくとも一方を当該種別の候補の中から選択して入力するための種別入力装置と、
施設の住所を入力するための住所入力装置と
を備え、
前記スポーツ施設名一覧表示処理装置および前記スポーツチーム名一覧表示処理装置が、前記種別入力装置および前記住所入力装置の入力結果に該当するプロスポーツチームの専用施設についての前記施設名または前記チーム名の一覧を前記表示部に表示するように形成されていること
を特徴とする請求項２に記載の施設検索装置。
【請求項４】
前記スポーツ施設名一覧表示処理装置が、同一の施設についての複数の名称を表示可能に形成されていること  
を特徴とする請求項２または請求項３に記載の施設検索装置。
【請求項５】
プロスポーツの種別を当該種別の候補の中から選択して入力するためのスポーツ種別入力装置と、
このスポーツ種別入力装置によって入力された種別に属するプロスポーツチームのチーム名の一覧を当該一覧の中の任意のチームをユーザが選択可能な状態として表示部に表示する処理を行う第１のスポーツチーム名一覧表示処理装置と、
この第１のスポーツチーム名一覧表示処理装置によって表示されたチーム名の一覧の中からユーザが選択したチームの傘下に属するマイナーチームのチーム名の一覧を当該一覧の中の任意のマイナーチームをユーザが選択可能な状態として前記表示部に表示する処理を行う第２のスポーツチーム名一覧表示処理装置と、
この第２のスポーツチーム名一覧表示処理装置によって表示されたマイナーチームのチーム名の中からユーザが選択したマイナーチームの専用施設の情報を前記表示部に表示する処理を行うマイナーチーム表示処理装置と
を備えたことを特徴とする請求項１に記載の施設検索装置。
【請求項６】
前記マイナーチーム表示処理装置が、前記マイナーチームの専用施設の情報として、施設名とともに、住所および周辺地図の少なくとも一方を表示するように形成されていること
を特徴とする請求項５に記載の施設検索装置。
【請求項７】
前記プロスポーツチームが、米国プロ野球におけるメジャーリーグのチームとされ、前記マイナーチームが、前記メジャーリーグのチームの傘下に属するマイナーリーグのチームとされていること
を特徴とする請求項５または請求項６に記載の施設検索装置。
【請求項８】
プロスポーツチームのチーム名を文字入力するチーム名文字入力装置と、
このチーム名文字入力装置によって入力されたチーム名に対応するプロスポーツチームの専用施設の情報を表示部に表示する処理を行う施設情報表示処理装置と
を備えたことを特徴とする請求項１に記載の施設検索装置。
【請求項９】
プロスポーツチームの専用施設の施設名を文字入力する施設名文字入力装置を備え、
前記施設情報表示処理装置が、前記施設名文字入力装置によって入力された施設名に対応するプロスポーツチームの専用施設の情報を表示部に表示する処理を行うことも可能とされていること
を特徴とする請求項８に記載の施設検索装置。
【請求項１０】
前記施設情報表示処理装置が、前記プロスポーツチームの専用施設の情報として、施設名とともに、住所および周辺地図の少なくとも一方を表示するように形成されていること
を特徴とする請求項８または請求項９に記載の施設検索装置。
【請求項１１】
プロスポーツチームの専用施設に関する情報が格納されたデータベースを利用して、プロスポーツチームの専用施設を検索可能に形成され、
前記データベースに、プロスポーツチームの専用施設の施設名の変更期日および変更後の施設名についての現在から複数年先までの情報が格納され、
前記変更期日以後においては、変更後の施設名を用いたプロスポーツチームの専用施設の検索が可能に形成されていること
を特徴とする請求項２乃至請求項１０のいずれか１項に記載の施設検索装置。
【請求項１２】
前記変更期日以後においても、変更前の施設名を用いたプロスポーツチームの専用施設の検索も可能に形成されていること
を特徴とする請求項１１に記載の施設検索装置。
【請求項１３】
前記プロスポーツチームの専用施設の施設名の変更期日および前記変更後の施設名についての現在から複数年先までの情報を、前記データベースの１回の年次更新によって一度に取得可能に形成されていること
を特徴とする請求項１１または請求項１２に記載の施設検索装置。
【請求項１４】
前記プロスポーツチームの専用施設が、前記プロスポーツチームが本拠を置くスタジアムとされていること
を特徴とする請求項１乃至請求項１３のいずれか１項に記載の施設検索装置。
【請求項１５】
実演団体の専用施設を検索する施設検索装置であって、
前記実演団体の団体名に基づいて、前記実演団体の専用施設を検索可能に形成されていること
を特徴とする施設検索装置。
【請求項１６】
前記実演団体の専用施設についての施設名の一覧を表示部に表示する処理を行う実演施設名一覧表示処理装置と、
前記施設名の一覧における各施設にそれぞれ対応する団体名の一覧を、前記施設名との対応関係が判別可能な状態として前記表示部に表示する処理を行う団体名一覧表示処理装置と、
前記実演施設名一覧表示処理装置による前記施設名の一覧の表示と、前記団体名一覧表示処理装置による前記団体名の一覧の表示とを、ユーザの入力操作にしたがって切り替える処理を行う表示切り替え処理装置と
を有し、前記施設名の一覧の表示と前記団体名の一覧の表示との切り替えによって、団体名に基づいた実演団体の専用施設の検索が可能に形成されていること
を特徴とする請求項１５に記載の施設検索装置。
【請求項１７】
施設の種別および実演内容の種別の少なくとも一方を当該種別の候補の中から選択して入力するための種別入力装置と、
施設の住所を入力するための住所入力装置と
を備え、
前記実演施設名一覧表示処理装置および前記団体名一覧表示処理装置が、前記種別入力装置および前記住所入力装置の入力結果に該当する実演団体の専用施設についての前記施設名または前記団体名の一覧を前記表示部に表示するように形成されていること
を特徴とする請求項１６に記載の施設検索装置。
【請求項１８】
前記実演施設名一覧表示処理装置が、同一の施設についての複数の名称を表示可能に形成されていること  
を特徴とする請求項１６または請求項１７に記載の施設検索装置。
【請求項１９】
実演団体の団体名を文字入力する団体名文字入力装置と、
この団体名文字入力装置によって入力された団体名に対応する実演団体の専用施設の情報を表示部に表示する処理を行う施設情報表示処理装置と
を備えたことを特徴とする請求項１５に記載の施設検索装置。
【請求項２０】
実演団体の専用施設の施設名を文字入力する施設名文字入力装置を備え、
前記施設情報表示処理装置が、前記施設名文字入力装置によって入力された施設名に対応する実演団体の専用施設の情報を表示部に表示する処理を行うことも可能とされていること
を特徴とする請求項１９に記載の施設検索装置。
【請求項２１】
前記施設情報表示処理装置が、前記実演団体の専用施設の情報として、施設名とともに、住所および周辺地図の少なくとも一方を表示するように形成されていること
を特徴とする請求項１９または請求項２０に記載の施設検索装置。
【請求項２２】
実演団体の専用施設に関する情報が格納されたデータベースを利用して、実演団体の専用施設を検索可能に形成され、
前記データベースに、実演団体の専用施設の施設名の変更期日および変更後の施設名についての現在から複数年先までの情報が格納され、
前記変更期日以後においては、変更後の施設名を用いた実演団体の専用施設の検索が可能に形成されていること
を特徴とする請求項１６乃至請求項２１のいずれか１項に記載の施設検索装置。
【請求項２３】
前記変更期日以後においても、変更前の施設名を用いた実演団体の専用施設の検索も可能に形成されていること
を特徴とする請求項２２に記載の施設検索装置。
【請求項２４】
前記実演団体の専用施設の施設名の変更期日および前記変更後の施設名についての現在から複数年先までの情報を、前記データベースの１回の年次更新によって一度に取得可能に形成されていること
を特徴とする請求項２２または請求項２３に記載の施設検索装置。
【請求項２５】
前記実演団体が、劇団およびオーケストラの少なくとも一方を含み、
前記実演団体の専用施設が、劇場およびコンサートホールの少なくとも一方を含むこと
を特徴とする請求項１５乃至請求項２４のいずれか１項に記載の施設検索装置。
【請求項２６】
イベントの開催施設を検索する施設検索装置であって、
イベント名に基づいて、前記イベントの開催施設を検索可能に形成されていること
を特徴とする施設検索装置。
【請求項２７】
前記イベントの開催施設についての施設名の一覧を表示部に表示する処理を行う開催施設名一覧表示処理装置と、
前記施設名の一覧における各施設にそれぞれ対応するイベント名の一覧を、前記施設名との対応関係が判別可能な状態として前記表示部に表示する処理を行うイベント名一覧表示処理装置と、
前記開催施設名一覧表示処理装置による前記施設名の一覧の表示と、前記イベント名一覧表示処理装置による前記イベント名の一覧の表示とを、ユーザの入力操作にしたがって切り替える処理を行う表示切り替え処理装置と
を有し、前記施設名の一覧の表示と前記イベント名の一覧の表示との切り替えによって、イベント名に基づいたイベントの開催施設の検索が可能に形成されていること
を特徴とする請求項２６に記載の施設検索装置。
【請求項２８】
施設の種別およびイベントの種別の少なくとも一方を当該種別の候補の中から選択して入力するための種別入力装置と、
施設の住所を入力するための住所入力装置と
を備え、
前記開催施設名一覧表示処理装置および前記イベント名一覧表示処理装置が、前記種別入力装置および前記住所入力装置の入力結果に該当するイベントの開催施設についての前記施設名または前記イベント名の一覧を前記表示部に表示するように形成されていること
を特徴とする請求項２７に記載の施設検索装置。
【請求項２９】
前記開催施設名一覧表示処理装置が、同一の施設についての複数の名称を表示可能に形成されていること  
を特徴とする請求項２７または請求項２８に記載の施設検索装置。
【請求項３０】
イベント名を文字入力するイベント名文字入力装置と、
このイベント名文字入力装置によって入力されたイベント名に対応するイベントの開催施設の情報を表示部に表示する処理を行う施設情報表示処理装置と
を備えたことを特徴とする請求項２６に記載の施設検索装置。
【請求項３１】
イベントの開催施設の施設名を文字入力する施設名文字入力装置を備え、
前記施設情報表示処理装置が、前記施設名文字入力装置によって入力された施設名に対応するイベントの開催施設の情報を表示部に表示する処理を行うことも可能とされていること
を特徴とする請求項３０に記載の施設検索装置。
【請求項３２】
前記施設情報表示処理装置が、前記イベントの開催施設の情報として、施設名とともに、住所および周辺地図の少なくとも一方を表示するように形成されていること
を特徴とする請求項３０または請求項３１に記載の施設検索装置。
【請求項３３】
イベントの開催施設に関する情報が格納されたデータベースを利用して、イベントの開催施設を検索可能に形成され、
前記データベースに、イベントの開催施設の施設名の変更期日および変更後の施設名についての現在から複数年先までの情報が格納され、
前記変更期日以後においては、変更後の施設名を用いたイベントの開催施設の検索が可能に形成されていること
を特徴とする請求項２７乃至請求項３２のいずれか１項に記載の施設検索装置。
【請求項３４】
前記変更期日以後においても、変更前の施設名を用いたイベントの開催施設の検索も可能に形成されていること
を特徴とする請求項３３に記載の施設検索装置。
【請求項３５】
前記イベントの開催施設の施設名の変更期日および前記変更後の施設名についての現在から複数年先までの情報を、前記データベースの１回の年次更新によって一度に取得可能に形成されていること
を特徴とする請求項３３または請求項３４に記載の施設検索装置。
【請求項３６】
前記イベントが、スポーツ大会を含むこと
を特徴とする請求項２６乃至請求項３５のいずれか１項に記載の施設検索装置。
【請求項３７】
車載用ナビゲーション装置に用いられることを特徴とする請求項１乃至請求項３６のいずれか１項に記載の施設検索装置。
【発明の詳細な説明】
【技術分野】
【０００１】
本発明は、施設検索装置に係り、特に、所望の施設を検索するのに好適な施設検索装置に関する。
【背景技術】
【０００２】
一般的に、野球、アメリカンフットボール、サッカー、バスケットボールおよびアイスホッケー等のプロリーグチームは、本拠を置く専用のスタジアムを保有している。
【０００３】
近年、このようなスタジアムには、命名権（ネーミングライツ）ビジネスにより、チーム名とは異なるスタジアム名が付されることが多くなった。
【０００４】
ところで、従来から、車載用ナビゲーション装置には、ナビゲーションにおける目的地の設定を補助するために、目的地の候補となる施設を、ユーザが指定した検索条件にしたがって検索する検索システムが搭載されていた。
【０００５】
このような検索システムでは、検索条件としてスタジアム名を入力することによって、目的地の候補としてのスタジアムを検索することが可能であった。
【０００６】
【特許文献１】特開２００５−２０７５７号公報
【発明の開示】
【発明が解決しようとする課題】
【０００７】
しかしながら、前述したように、ユーザが検索しようとしているスタジアムに付されているスタジアム名が、当該スタジアムに本拠を置くチームのチーム名と異なる場合には、ユーザがスタジアム名を正式に覚えていない限りスタジアム名を検索条件として使うことはできなかった。
【０００８】
特に、スタジアム名は、命名権の契約期間ごとに変更されてしまうので、現行のものを覚えていなけばスタジアム名を検索条件とした検索ができなかった。
【０００９】
したがって、従来は、所望の施設を確実に検索することが困難であるといった問題が生じていた。
【００１０】
そこで、本発明は、このような問題に鑑みなされたものであり、名称の変更にかかわらず所望の施設を確実に検索することができる施設検索装置を提供することを目的とするものである。
【課題を解決するための手段】
【００１１】
前述した目的を達成するため、本発明に係る施設検索装置は、プロスポーツチームの専用施設を検索する施設検索装置であって、前記プロスポーツチームのチーム名に基づいて、前記プロスポーツチームの専用施設を検索可能に形成されていることを特徴としている。
【００１２】
また、本発明に係る他の施設検索装置は、前記プロスポーツチームの専用施設についての施設名の一覧を表示部に表示する処理を行うスポーツ施設名一覧表示処理装置と、前記施設名の一覧における各施設にそれぞれ対応するチーム名の一覧を、前記施設名との対応関係が判別可能な状態として前記表示部に表示する処理を行うスポーツチーム名一覧表示処理装置と、前記スポーツ施設名一覧表示処理装置による前記施設名の一覧の表示と、前記スポーツチーム名一覧表示処理装置による前記チーム名の一覧の表示とを、ユーザの入力操作にしたがって切り替える処理を行う表示切り替え処理装置とを有し、前記施設名の一覧の表示と前記チーム名の一覧の表示との切り替えによって、チーム名に基づいたプロスポーツチームの専用施設の検索が可能に形成されていることを特徴としている。
【００１３】
さらに、本発明に係る他の施設検索装置は、施設の種別およびプロスポーツの種別の少なくとも一方を当該種別の候補の中から選択して入力するための種別入力装置と、施設の住所を入力するための住所入力装置とを備え、前記スポーツ施設名一覧表示処理装置および前記スポーツチーム名一覧表示処理装置が、前記種別入力装置および前記住所入力装置の入力結果に該当するプロスポーツチームの専用施設についての前記施設名または前記チーム名の一覧を前記表示部に表示するように形成されていることを特徴としている。
【００１４】
さらにまた、本発明に係る他の施設検索装置は、前記スポーツ施設名一覧表示処理装置が、同一の施設についての複数の名称を表示可能に形成されていることを特徴としている。
【００１５】
また、本発明に係る他の施設検索装置は、プロスポーツの種別を当該種別の候補の中から選択して入力するためのスポーツ種別入力装置と、このスポーツ種別入力装置によって入力された種別に属するプロスポーツチームのチーム名の一覧を当該一覧の中の任意のチームをユーザが選択可能な状態として表示部に表示する処理を行う第１のスポーツチーム名一覧表示処理装置と、この第１のスポーツチーム名一覧表示処理装置によって表示されたチーム名の一覧の中からユーザが選択したチームの傘下に属するマイナーチームのチーム名の一覧を当該一覧の中の任意のマイナーチームをユーザが選択可能な状態として前記表示部に表示する処理を行う第２のスポーツチーム名一覧表示処理装置と、この第２のスポーツチーム名一覧表示処理装置によって表示されたマイナーチームのチーム名の中からユーザが選択したマイナーチームの専用施設の情報を前記表示部に表示する処理を行うマイナーチーム表示処理装置とを備えたことを特徴としている。
【００１６】
さらに、本発明に係る他の施設検索装置は、前記マイナーチーム表示処理装置が、前記マイナーチームの専用施設の情報として、施設名とともに、住所および周辺地図の少なくとも一方を表示するように形成されていることを特徴としている。
【００１７】
さらにまた、本発明に係る他の施設検索装置は、前記プロスポーツチームが、米国プロ野球におけるメジャーリーグのチームとされ、前記マイナーチームが、メジャーリーグのチームの傘下に属するマイナーリーグのチームとされていることを特徴としている。
【００１８】
また、本発明に係る他の施設検索装置は、プロスポーツチームのチーム名を文字入力するチーム名文字入力装置と、このチーム名文字入力装置によって入力されたチーム名に対応するプロスポーツチームの専用施設の情報を表示部に表示する処理を行う施設情報表示処理装置とを備えたことを特徴としている。
【００１９】
さらに、本発明に係る他の施設検索装置は、プロスポーツチームの専用施設の名称を文字入力する施設名文字入力装置を備え、前記施設情報表示処理装置が、前記施設名文字入力装置によって入力された施設名に対応するプロスポーツチームの専用施設の情報を表示部に表示する処理を行うことも可能とされていることを特徴としている。
【００２０】
さらにまた、本発明に係る他の施設検索装置は、前記施設情報表示処理装置が、前記プロスポーツチームの専用施設の情報として、施設名とともに、住所および周辺地図の少なくとも一方を表示するように形成されていることを特徴としている。
【００２１】
また、本発明に係る他の施設検索装置は、プロスポーツチームの専用施設に関する情報が格納されたデータベースを利用して、プロスポーツチームの専用施設を検索可能に形成され、前記データベースに、プロスポーツチームの専用施設の施設名の変更期日および変更後の施設名についての現在から複数年先までの情報が格納され、前記変更期日以後においては、変更後の施設名を用いたプロスポーツチームの専用施設の検索が可能に形成されていることを特徴としている。
【００２２】
さらに、本発明に係る他の施設検索装置は、前記変更期日以後においても、変更前の施設名を用いたプロスポーツチームの専用施設の検索も可能に形成されていることを特徴としている。
【００２３】
さらにまた、本発明に係る他の施設検索装置は、前記変更期日および前記変更後の施設名についての現在から複数年先までの情報を、前記データベースの１回の年次更新によって一度に取得可能に形成されていることを特徴としている。
【００２４】
また、本発明に係る他の施設検索装置は、前記プロスポーツチームの専用施設が、前記プロスポーツチームが本拠を置くスタジアムとされている点にある。
【００２５】
さらに、本発明に係る他の施設検索装置は、実演団体の専用施設を検索する施設検索装置であって、前記実演団体の団体名に基づいて、前記実演団体の専用施設を検索可能に形成されていることを特徴としている。
【００２６】
さらにまた、本発明に係る他の施設検索装置は、前記実演団体の専用施設についての施設名の一覧を表示部に表示する処理を行う実演施設名一覧表示処理装置と、前記施設名の一覧における各施設にそれぞれ対応する団体名の一覧を、前記施設名との対応関係が判別可能な状態として前記表示部に表示する処理を行う団体名一覧表示処理装置と、前記実演施設名一覧表示処理装置による前記施設名の一覧の表示と、前記団体名一覧表示処理装置による前記団体名の一覧の表示とを、ユーザの入力操作にしたがって切り替える処理を行う表示切り替え処理装置とを有し、前記施設名の一覧の表示と前記団体名の一覧の表示との切り替えによって、団体名に基づいた実演団体の専用施設の検索が可能に形成されていることを特徴としている。
【００２７】
また、本発明に係る他の施設検索装置は、施設の種別および実演内容の種別の少なくとも一方を当該種別の候補の中から選択して入力するための種別入力装置と、施設の住所を入力するための住所入力装置とを備え、前記実演施設名一覧表示処理装置および前記団体名一覧表示処理装置が、前記種別入力装置および前記住所入力装置の入力結果に該当する実演団体の専用施設についての前記施設名または前記団体名の一覧を前記表示部に表示するように形成されていることを特徴としている。
【００２８】
さらに、本発明に係る他の施設検索装置は、前記実演施設名一覧表示処理装置が、同一の施設についての複数の名称を表示可能に形成されていることを特徴としている。
【００２９】
さらにまた、本発明に係る他の施設検索装置は、実演団体の団体名を文字入力する団体名文字入力装置と、この団体名文字入力装置によって入力された団体名に対応する実演団体の専用施設の情報を表示部に表示する処理を行う施設情報表示処理装置とを備えたことを特徴としている。
【００３０】
また、本発明に係る他の施設検索装置は、実演団体の専用施設の施設名を文字入力する施設名文字入力装置を備え、前記施設情報表示処理装置が、前記施設名文字入力装置によって入力された施設名に対応する実演団体の専用施設の情報を表示部に表示する処理を行うことも可能とされていることを特徴としている。
【００３１】
さらに、本発明に係る他の施設検索装置は、前記施設情報表示処理装置が、前記実演団体の専用施設の情報として、施設名とともに、住所および周辺地図の少なくとも一方を表示するように形成されていることを特徴としている。
【００３２】
さらにまた、本発明に係る他の施設検索装置は、実演団体の専用施設に関する情報が格納されたデータベースを利用して、実演団体の専用施設を検索可能に形成され、前記データベースに、実演団体の専用施設の施設名の変更期日および変更後の施設名についての現在から複数年先までの情報が格納され、前記変更期日以後においては、変更後の施設名を用いた実演団体の専用施設の検索が可能に形成されていることを特徴としている。
【００３３】
また、本発明に係る他の施設検索装置は、前記変更期日以後においても、変更前の施設名を用いた実演団体の専用施設の検索も可能に形成されていることを特徴としている。
【００３４】
さらに、本発明に係る他の施設検索装置は、前記実演団体の専用施設の施設名の変更期日および前記変更後の施設名についての現在から複数年先までの情報を、前記データベースの１回の年次更新によって一度に取得可能に形成されていることを特徴としている。
【００３５】
さらにまた、本発明に係る他の施設検索装置は、前記実演団体が、劇団およびオーケストラの少なくとも一方を含み、前記実演団体の専用施設が、劇場およびコンサートホールの少なくとも一方を含むことを特徴としている。
【００３６】
また、本発明に係る他の施設検索装置は、イベントの開催施設を検索する施設検索装置であって、イベント名に基づいて、前記イベントの開催施設を検索可能に形成されていることを特徴としている。
【００３７】
さらに、本発明に係る他の施設検索装置は、前記イベントの開催施設についての施設名の一覧を表示部に表示する処理を行う開催施設名一覧表示処理装置と、前記施設名の一覧における各施設にそれぞれ対応するイベント名の一覧を、前記施設名との対応関係が判別可能な状態として前記表示部に表示する処理を行うイベント名一覧表示処理装置と、前記開催施設名一覧表示処理装置による前記施設名の一覧の表示と、前記イベント名一覧表示処理装置による前記イベント名の一覧の表示とを、ユーザの入力操作にしたがって切り替える処理を行う表示切り替え処理装置とを有し、前記施設名の一覧の表示と前記イベント名の一覧の表示との切り替えによって、イベント名に基づいたイベントの開催施設の検索が可能に形成されていることを特徴としている。
【００３８】
さらにまた、本発明に係る他の施設検索装置は、施設の種別およびイベントの種別の少なくとも一方を当該種別の候補の中から選択して入力するための種別入力装置と、施設の住所を入力するための住所入力装置とを備え、前記開催施設名一覧表示処理装置および前記イベント名一覧表示処理装置が、前記種別入力装置および前記住所入力装置の入力結果に該当するイベントの開催施設についての前記施設名または前記イベント名の一覧を前記表示部に表示するように形成されていることを特徴としている。
【００３９】
また、本発明に係る他の施設検索装置は、前記開催施設名一覧表示処理装置が、同一の施設についての複数の名称を表示可能に形成されていることを特徴としている。
【００４０】
さらに、本発明に係る他の施設検索装置は、イベント名を文字入力するイベント名文字入力装置と、このイベント名文字入力装置によって入力されたイベント名に対応するイベントの開催施設の情報を表示部に表示する処理を行う施設情報表示処理装置とを備えたことを特徴としている。
【００４１】
さらにまた、本発明に係る他の施設検索装置は、イベントの開催施設の施設名を文字入力する施設名文字入力装置を備え、前記施設情報表示処理装置が、前記施設名文字入力装置によって入力された施設名に対応するイベントの開催施設の情報を表示部に表示する処理を行うことも可能とされていることを特徴としている。
【００４２】
また、本発明に係る他の施設検索装置は、前記施設情報表示処理装置が、前記イベントの開催施設の情報として、施設名とともに、住所および周辺地図の少なくとも一方を表示するように形成されていることを特徴としている。
【００４３】
さらに、本発明に係る他の施設検索装置は、イベントの開催施設に関する情報が格納されたデータベースを利用して、イベントの開催施設を検索可能に形成され、前記データベースに、イベントの開催施設の施設名の変更期日および変更後の施設名についての現在から複数年先までの情報が格納され、前記変更期日以後においては、変更後の施設名を用いたイベントの開催施設の検索が可能に形成されていることを特徴としている。
【００４４】
さらにまた、本発明に係る他の施設検索装置は、前記変更期日以後においても、変更前の施設名を用いたイベントの開催施設の検索も可能に形成されていることを特徴としている。
【００４５】
また、本発明に係る他の施設検索装置は、前記イベントの開催施設の施設名の変更期日および前記変更後の施設名についての現在から複数年先までの情報を、前記データベースの１回の年次更新によって一度に取得可能に形成されていることを特徴としている。
【００４６】
さらに、本発明に係る他の施設検索装置は、前記イベントが、スポーツ大会を含むことを特徴としている。
【００４７】
さらにまた、本発明に係る他の施設検索装置は、車載用ナビゲーション装置に用いられることを特徴としている。そして、このような構成によれば、車載用ナビゲーション装置において、チーム名に基づいて所望のプロスポーツチームの専用施設を検索することが可能となる。
【発明の効果】
【００４８】
本発明に係る施設検索装置によれば、チーム名に基づいてプロスポーツチームの専用施設を検索することができるので、命名権ビジネスの影響等による名称の変更にかかわらず所望のプロスポーツチームの専用施設を確実に検索することができる。
【００４９】
また、本発明に係る他の施設検索装置によれば、施設名の一覧から、この一覧に表示された各施設名にそれぞれ対応するチーム名の一覧へと表示を切り替えることによって、施設名の一覧におけるいずれの施設が、所望のプロスポーツチームの専用施設であるのかをチーム名の一覧に基づいて確実に把握することができるので、所望のプロスポーツチームの専用施設を簡便かつ確実に検索することができる。
【００５０】
さらに、本発明に係る他の施設検索装置によれば、検索対象を予め絞ることによって、所望のプロスポーツチームの専用施設を効率的に検索することができるので、所望のプロスポーツチームの専用施設を迅速に検索することができる。
【００５１】
さらにまた、本発明に係る他の施設検索装置によれば、旧称、略称または俗称のように、現行の正式名称よりもユーザにとって馴染みがある呼称のされ方で認知されている施設については、現行の正式名称以外の名称（旧称、略称または俗称等）も表示することによって当該専用施設を検索し易くすることができるので、所望のプロスポーツチームの専用施設をさらに確実に検索することができる。
【００５２】
また、本発明に係る他の施設検索装置によれば、マイナーチームのチーム名に基づいて、プロスポーツチームとしての所望のマイナーチームの専用施設を検索することができるので、名称の変更にかかわらず所望のマイナーチームの専用施設を確実に検索することができる。
【００５３】
さらに、本発明に係る他の施設検索装置によれば、マイナーチームの専用施設についての詳細な検索結果を取得することができるので、検索結果を充実させることができ、検索結果の有用性を向上させることができる。
【００５４】
さらにまた、本発明に係る他の施設検索装置によれば、米国プロ野球におけるマイナーリーグのチーム名に基づいて、所望のマイナーリーグチームの専用施設を検索することができるので、名称の変更にかかわらず所望のマイナーリーグチームの専用施設を確実に検索することができる。
【００５５】
また、本発明に係る他の施設検索装置によれば、チーム名を文字入力することによって、所望のプロスポーツチームの専用施設を検索することができるので、所望のプロスポーツチームの専用施設をより簡便に検索することができる。
【００５６】
さらに、本発明に係る他の施設検索装置によれば、ユーザが施設名を知っている場合には、施設名を文字入力することによって所望のプロスポーツチームの専用施設を検索することができるので、従来通りの検索にも対応することができる。
【００５７】
さらにまた、本発明に係る他の施設検索装置によれば、文字入力による施設の検索結果として、所望のプロスポーツチームの専用施設についての詳細な検索結果を取得することができるので、検索結果を充実させることができ、検索結果の有用性を向上させることができる。
【００５８】
また、本発明に係る他の施設検索装置によれば、施設名が変更された後には、施設の変更期日や変更後の施設名の情報を更新することを要することなく、変更後の施設名を用いて所望のプロスポーツチームの専用施設を検索することができるので、利便性を向上させることができる。
【００５９】
さらに、本発明に係る他の施設検索装置によれば、施設名の変更期日以後においても変更前の施設名を用いて所望のプロスポーツチームの専用施設を検索することができるので、変更前の施設名しか知らないユーザであっても、その施設名を用いて所望のプロスポーツチームの専用施設を検索することができ、利便性をさらに向上させることができる。
【００６０】
さらにまた、本発明に係る他の施設検索装置によれば、施設の変更期日や変更後の施設名の情報を頻繁に更新することを要することなく、現行の施設名に対応することができるので、利便性をさらに向上させることができる。
【００６１】
また、本発明に係る他の施設検索装置によれば、プロスポーツチームのチーム名に基づいて、所望のプロスポーツチームが本拠を置くスタジアムを検索することができるので、名称の変更にかかわらず所望のプロスポーツチームの専用のスタジアムを確実に検索することができる。
【００６２】
さらに、本発明に係る他の施設検索装置によれば、団体名に基づいて実演団体の専用施設を検索することができるので、命名権ビジネスの影響等による名称の変更にかかわらず所望の実演団体の専用施設を確実に検索することができる。
【００６３】
さらにまた、本発明に係る他の施設検索装置によれば、施設名の一覧から、この一覧に表示された各施設名にそれぞれ対応する団体名の一覧へと表示を切り替えることによって、施設名の一覧におけるいずれの施設が、所望の実演団体の専用施設であるのかを団体名の一覧に基づいて確実に把握することができるので、所望の実演団体の専用施設を簡便かつ確実に検索することができる。
【００６４】
また、本発明に係る他の施設検索装置によれば、検索対象を予め絞ることによって、所望の実演団体の専用施設を効率的に検索することができるので、所望の実演団体の専用施設を迅速に検索することができる。
【００６５】
さらに、本発明に係る他の施設検索装置によれば、旧称、略称または俗称のように、現行の正式名称よりもユーザにとって馴染みがある呼称のされ方で認知されている施設については、現行の正式名称以外の名称も表示することによって当該専用施設を検索し易くすることができるので、所望の実演団体の専用施設をさらに確実に検索することができる。
【００６６】
さらにまた、本発明に係る他の施設検索装置によれば、団体名を文字入力することによって、所望の実演団体の専用施設を検索することができるので、所望の実演団体の専用施設をより簡便に検索することができる。
【００６７】
また、本発明に係る他の施設検索装置によれば、ユーザが施設名を知っている場合には、施設名を文字入力することによって所望の実演団体の専用施設を検索することができるので、従来通りの検索にも対応することができる。
【００６８】
さらに、本発明に係る他の施設検索装置によれば、文字入力による施設の検索結果として、所望の実演団体の専用施設についての詳細な検索結果を取得することができるので、検索結果を充実させることができ、検索結果の有用性を向上させることができる。
【００６９】
さらにまた、本発明に係る他の施設検索装置によれば、施設名が変更された後には、施設の変更期日や変更後の施設名の情報を更新することを要することなく、変更後の施設名を用いて所望の実演団体の専用施設を検索することができるので、利便性を向上させることができる。
【００７０】
また、本発明に係る他の施設検索装置によれば、施設名の変更期日以後においても変更前の施設名を用いて所望の実演団体の専用施設を検索することができるので、変更前の施設名しか知らないユーザであっても、その施設名を用いて所望の実演団体の専用施設を検索することができ、利便性をさらに向上させることができる。
【００７１】
さらに、本発明に係る他の施設検索装置によれば、施設の変更期日や変更後の施設名の情報を頻繁に更新することを要することなく、現行の施設名に対応することができるので、利便性をさらに向上させることができる。
【００７２】
さらにまた、本発明に係る他の施設検索装置によれば、劇団名またはオーケストラ名に基づいて、所望の劇場またはコンサートホールを検索することができるので、名称の変更にかかわらず所望の劇場またはコンサートホールを確実に検索することができる。
【００７３】
また、本発明に係る他の施設検索装置によれば、イベント名に基づいてイベントの開催施設を検索することができるので、命名権ビジネスの影響等による名称の変更にかかわらず所望のイベントの開催施設を確実に検索することができる。
【００７４】
さらに、本発明に係る他の施設検索装置によれば、施設名の一覧から、この一覧に表示された各施設名にそれぞれ対応するイベント名の一覧へと表示を切り替えることによって、施設名の一覧におけるいずれの施設が、所望のイベントの開催施設であるのかをイベント名の一覧に基づいて確実に把握することができるので、所望のイベントの開催施設を簡便かつ確実に検索することができる。
【００７５】
さらにまた、本発明に係る他の施設検索装置によれば、検索対象を予め絞ることによって、所望のイベントの開催施設を効率的に検索することができるので、所望のイベントの開催施設を迅速に検索することができる。
【００７６】
また、本発明に係る他の施設検索装置によれば、旧称、略称または俗称のように、現行の正式名称よりもユーザにとって馴染みがある呼称のされ方で認知されている施設については、現行の正式名称以外の名称も表示することによって当該専用施設を検索し易くすることができるので、所望のイベントの開催施設をさらに確実に検索することができる。
【００７７】
さらに、本発明に係る他の施設検索装置によれば、イベント名を文字入力することによって、所望のイベントの開催施設を検索することができるので、所望のイベントの開催施設をより簡便に検索することができる。
【００７８】
さらにまた、本発明に係る他の施設検索装置によれば、ユーザが施設名を知っている場合には、施設名を文字入力することによって所望のイベントの開催施設を検索することができるので、従来通りの検索にも対応することができる。
【００７９】
また、本発明に係る他の施設検索装置によれば、文字入力による施設の検索結果として、所望のイベントの開催施設についての詳細な検索結果を取得することができるので、検索結果を充実させることができ、検索結果の有用性を向上させることができる。
【００８０】
さらに、本発明に係る他の施設検索装置によれば、施設名が変更された後には、施設の変更期日や変更後の施設名の情報を更新することを要することなく、変更後の施設名を用いて所望のイベントの開催施設を検索することができるので、利便性を向上させることができる。
【００８１】
さらにまた、本発明に係る他の施設検索装置によれば、施設名の変更期日以後においても変更前の施設名を用いて所望のイベントの開催施設を検索することができるので、変更前の施設名しか知らないユーザであっても、その施設名を用いて所望のイベントの開催施設を検索することができ、利便性をさらに向上させることができる。
【００８２】
また、本発明に係る他の施設検索装置によれば、施設の変更期日や変更後の施設名の情報を頻繁に更新することを要することなく、現行の施設名に対応することができるので、利便性をさらに向上させることができる。
【００８３】
さらに、本発明に係る他の施設検索装置によれば、スポーツ大会の大会名に基づいて、所望のスポーツ大会の開催施設を検索することができるので、名称の変更にかかわらず所望のスポーツ大会の開催施設を確実に検索することができる。
【００８４】
さらにまた、本発明に係る他の施設検索装置によれば、車載用ナビゲーション装置において、名称の変更にかかわらず目的地候補としての所望の施設を確実に検索することができ、ひいては、目的地の設定を円滑に行うことができる。
【発明を実施するための最良の形態】
【００８５】
（第１実施形態）
以下、本発明に係る施設検索装置の第１実施形態について、図１乃至図１５を参照して説明する。
【００８６】
図１は、本発明に係る施設検索装置としての車載用ナビゲーション装置１を示したものである。図１に示すように、車載用ナビゲーション装置１は、大別して、ナビゲーションメインユニット２と、このナビゲーションメインユニット２の入力側にそれぞれ接続されたデータ読出／書込装置３、入力操作部５、ＧＰＳレシーバ６および自律航法センサ７と、ナビゲーションメインユニット２の出力側にそれぞれ接続されたディスプレイ８およびスピーカ９とによって構成されている。
【００８７】
本実施形態において、入力操作部５は、種別入力装置およびスポーツ種別入力装置として機能するようになっている。すなわち、ユーザは、所望のプロスポーツチームの専用施設（以下、スポーツチーム専用施設と略称する）を検索する際に、入力操作部５を用いることによって、検索条件としてのプロスポーツチームの種別および施設の種別の入力操作を行うことができるようになっている。なお、プロスポーツチームの種別の入力操作は、野球、バスケットボールおよびアメリカンフットボール等の互いに異なる種別のスポーツを選択することを内容としたものに限らず、米国野球におけるメジャーリーグ、トリプルＡおよびダブルＡ等の同一のスポーツにおいて、さらに細分化された種別を選択することを内容としたものであってもよい。
【００８８】
また、入力操作部５は、住所入力装置として機能し、ユーザが所望のスポーツチーム専用施設を検索する際に、入力操作部５を用いることによって、検索条件としての住所の入力操作を行うことができるようになっている。なお、住所の入力操作は、例えば、米国における州のみの特定のように、スポーツチーム専用施設の所在する地域を大まかに特定するものであってもよい。
【００８９】
さらに、入力操作部５は、チーム名文字入力装置として機能し、ユーザが所望のスポーツチーム専用施設を検索する際に入力操作部５を用いることによって、検索条件としての所望のスポーツチーム専用施設に対応するチーム名の文字入力操作を行うことができるようになっている。
【００９０】
さらにまた、入力操作部５は、施設名文字入力装置として機能し、ユーザが所望のスポーツチーム専用施設を検索する際に、入力操作部５を用いることによって、検索条件としての所望のスポーツチーム専用施設の施設名の文字入力操作を行うことができるようになっている。
【００９１】
この他にも、入力操作部５を用いることによって、所望のスポーツチーム専用施設を検索するための種々の入力操作を行うことができるようになっている。
【００９２】
この入力操作部５を用いた入力操作は、後述する施設検索用操作画面に対してなされることになる。
【００９３】
なお、入力操作部５は、スポーツチーム専用施設の検索ための入力操作の他にも、ルート検索条件の入力等のナビゲーションのための種々の入力操作にも用いられるようになっている。
【００９４】
この入力操作部５は、例えば、リモコン、ディスプレイ８のタッチパネルまたはリニアエンコーダ等であってもよい。
【００９５】
データ読出／書込装置３には、ハードディスクドライブ等の記憶装置１２が接続されており、この記憶装置１２には、地図データや検索データ等の各種のデータが格納されたデータベース（以下、ナビＤＢと称する）が記憶されている。本実施形態において、ナビＤＢは、プロスポーツチームの専用施設に関するデータ（以下、スポーツチーム専用施設データと称する）が格納されたデータベースとしても機能するようになっている。ナビＤＢには、例えば、スポーツチーム専用施設についての施設名、チーム名、住所、施設種別およびスポーツ種別等が、互いに対応関係を有した状態として格納されていてもよい。
【００９６】
ナビゲーションメインユニット２は、操作画面描画部１０を有しており、この操作画面描画部１０は、メニュー画面、所望のスポーツチーム専用施設を検索するための種々の操作画面である施設検索用操作画面等の種々の操作画面の描画データを生成し、生成された描画データを出力するようになっている。
【００９７】
操作画面描画部１０とディスプレイ８との間には、表示処理部１４が接続されており、この表示処理部１４には、操作画面描画部１０から出力された操作画面の描画データが入力されるようになっている。そして、表示処理部１４は、入力された操作画面の描画データに対応した操作画面をディスプレイ８に表示するようになっている。
【００９８】
操作画面描画部１０には、入力操作部５から、現在ディスプレイ８に表示されている操作画面に対する入力操作の結果が入力されるようになっている。操作画面描画部１０は、入力操作部５からの入力操作の結果が、新たな操作画面の表示を指示する内容の操作結果であれば、新たな操作画面の描画データを生成して表示処理部１４に出力するようになっている。
【００９９】
入力操作部５には、施設検索制御部１５が接続されており、この施設検索制御部１５は、データ読出制御部１６を介してデータ読取／書込装置３に接続されている。
【０１００】
施設検索制御部１５には、入力操作部５から、施設検索用操作画面に対する入力操作結果が入力されるようになっている。そして、施設検索制御部１５は、施設検索用操作画面に対する入力操作の結果（検索条件）を満足するスポーツチーム専用施設（以下、該当スポーツチーム専用施設と称する）のスポーツチーム専用施設データの読み出し要求をデータ読出／書込装置３に出力するようになっている。なお、前記検索条件の入力操作は、複数個の施設検索用操作画面を順次用いて複数回にわたって行われる場合がある。また、該当スポーツチーム専用施設は、複数個存在する場合がある。
【０１０１】
この読み出し要求により、データ読出／書込装置３は、記憶装置１２に記憶されたナビＤＢから、該当スポーツチーム専用施設についてのスポーツチーム専用施設データ（以下、該当スポーツチーム専用施設データと称する）を読み出すようになっている。
【０１０２】
そして、データ読出／書込装置３は、読み出された該当スポーツチーム専用施設データを、データ読出／書込装置３に接続されたバッファ１８に一時的に格納するようになっている。
【０１０３】
バッファ１８と表示処理部１４との間には、一覧描画部１９が接続されており、この一覧描画部１９は、表示処理部１４および施設検索制御部１５とともに、スポーツ施設名一覧表示処理装置、スポーツチーム名一覧表示処理装置および表示切り替え処置装置として機能するようになっている。
【０１０４】
すなわち、施設検索制御部１５は、入力操作部５を用いて入力された検索条件としての住所、施設の種別およびスポーツの種別の少なくとも１つの条件を満足する該当スポーツチーム専用施設データをデータ読出制御部１６およびデータ読出／書込装置３を介してナビＤＢから読み出し、読み出された該当スポーツチーム専用施設データをバッファ１８に格納するようになっている。
【０１０５】
さらに、一覧描画部１９は、バッファ１８に格納された該当スポーツチーム専用施設データを取得し、取得された該当スポーツチーム専用施設データを利用することによって、該当スポーツチーム専用施設の施設名の一覧を表示するための描画データ（以下、施設名一覧描画データと称する）または該当スポーツチーム専用施設に対応するチーム名の一覧を施設名との対応関係を判別可能な状態として表示するための描画データ（以下、チーム名一覧描画データと称する）を選択的に生成するようになっている。一覧描画部１９によって生成された施設名一覧描画データまたはチーム名一覧描画データは、表示処理部１４に出力されるようになっている。
【０１０６】
そして、表示処理部１４は、施設名一覧描画データを用いた施設名の一覧のディスプレイ８への表示処理またはチーム名一覧描画データを用いたチーム名の一覧のディスプレイ８への表示処理を選択的に行うようになっている。
【０１０７】
なお、施設名の一覧またはチーム名の一覧のいずれを表示するかの選択は、その選択を行うことが可能とされた操作画面（例えば、後述する並び替え／切り替え項目選択画面８９）を表示し、この操作画面に対するユーザの入力操作（選択）に基づいて決定されるようになっている。
【０１０８】
これにより、ディスプレイ８には、施設名の一覧またはチーム名の一覧が、施設名とチーム名との対応関係を両一覧の表示の切り替えによって判別可能な状態として表示されるようになっている。具体的には、施設名の一覧およびチーム名の一覧の双方において、施設までの距離および方角を施設名またはチーム名の脇に並記することによって、施設名とチーム名との対応関係を判別可能にしてもよい。あるいは、施設名の一覧における施設名と、チーム名の一覧におけるチーム名とを、同じ並び順に表示するようにしてもよい。このようにすれば、ユーザが、両一覧を表示の切り替えによって交互に視ることによって、施設名とチーム名との対応関係を容易に判別することができる。
【０１０９】
したがって、本実施形態においては、施設名の一覧の表示と、チーム名の一覧の表示との切り替えによって、ユーザが所望のスポーツチーム専用施設を検索することができるようになっている。
【０１１０】
また、本実施形態において、一覧描画部１９は、第１のスポーツチーム名一覧表示処理装置としても機能するようになっている。すなわち、一覧描画部１９は、検索条件としてのプロスポーツチームの種別の入力操作によって特定されたプロスポーツチームが、傘下にマイナーチームを置くチーム（以下、メジャーチームと称する）の場合には、チーム名一覧描画データとして、メジャーチームのチーム名の一覧を、当該一覧中の任意のメジャーチームを選択可能な状態として表示するための描画データを生成するようになっている。そして、表示処理部１４は、一覧描画部１９とともに第１のスポーツチーム名一覧表示処理装置として機能し、一覧描画部１９によって生成された当該描画データを用いることによって、メジャーチームのチーム名の一覧を、当該一覧中の任意のメジャーチームをユーザが選択可能な状態としてディスプレイ８に表示するようになっている。
【０１１１】
このような第１のスポーツチーム名一覧表示処理装置の機能によって表示されるチーム名としては、例えば、米国野球のメジャーリーグのチーム名を挙げることができる。この場合、傘下に属するマイナーチームは、トリプルＡやダブルＡ等のマイナーリーグのチームとなる。
【０１１２】
さらに、本実施形態において、一覧描画部１９は、第２のスポーツチーム名一覧表示処理装置としても機能するようになっている。すなわち、一覧描画部１９は、第１のスポーツチーム名一覧表示処理装置の機能によって表示されたチーム名の一覧中からユーザが選択したチームの傘下に属するマイナーチームのチーム名の一覧を、当該一覧中の任意のマイナーチームを選択可能な状態として表示する描画データ（以下、マイナーチーム名描画データと称する）を生成して表示処理部１４に出力するようになっている。
【０１１３】
そして、表示処理部１４は、一覧描画部１９とともに第２のスポーツチーム名一覧表示処理装置として機能し、マイナーチーム名描画データを用いることによって、マイナーチーム名の一覧を、当該一覧中の任意のマイナーチームをユーザが選択可能な状態としてディスプレイ８に表示するようになっている。
【０１１４】
上記構成に加えて、バッファ１８と表示処理部１４との間には、施設情報描画部２１が接続されており、この施設情報描画部２１は、表示処理部１４および施設検索制御部１５とともにマイナーチーム表示処理装置および施設情報表示処理装置として機能するようになっている。
【０１１５】
すなわち、施設検索制御部１５は、マイナーチーム名の一覧においてユーザが選択したマイナーチームの専用施設（以下、所望マイナーチーム専用施設と称する）についてのスポーツチーム専用施設データの読み出し要求を、データ読出制御部１６を介してデータ読取／書込装置３に出力するようになっている。この読み出し要求により、データ読出制御部１６は、記憶装置１２内のナビＤＢから所望マイナーチーム専用施設についてのスポーツチーム専用施設データを読み出し、読み出されたスポーツチーム専用施設データをバッファ１８に格納するようになっている。
【０１１６】
さらに、施設情報描画部２１は、バッファ１８に格納された所望マイナーチーム専用施設についてのスポーツチーム専用施設データを取得し、取得されたスポーツチーム専用施設データを用いることによって、所望マイナーチーム専用施設の情報を表示するための描画データ（以下、所望マイナーチーム専用施設情報描画データと称する）を生成して表示処理部１４に出力するようになっている。なお、この所望マイナーチーム専用施設情報描画データは、所望マイナーチーム専用施設の施設名とともに、住所および周辺地図の少なくとも一方を表示できるものであることが好ましい。
【０１１７】
そして、表示処理部１４は、施設情報描画部２１から出力された所望マイナーチーム専用施設情報描画データを用いて所望マイナーチーム専用施設の情報をディスプレイ８に表示するようになっている。
【０１１８】
なお、前述した施設名の一覧に、ユーザが当該一覧中の任意のスポーツチーム専用施設を選択することが可能な操作画面としての機能を持たせ、この一覧においてユーザが選択したスポーツチーム専用施設の情報（施設名、住所および周辺地図等）を、施設情報描画部２１および表示処理部１４によってディスプレイ８に表示するようにしてもよい。
【０１１９】
また、本実施形態において、施設検索制御部１５は、ユーザが、入力操作部５を用いて所望のスポーツチーム専用施設に対応するチーム名の文字入力操作を行った場合に、文字入力されたチーム名に対応するスポーツチーム専用施設データの読み出し要求を、データ読出制御部１６を介してデータ読取／書込装置３に出力するようになっている。この読み出し要求により、データ読出制御部１６は、記憶装置１２内のナビＤＢから文字入力されたチーム名に対応するスポーツチーム専用施設データを読み出し、読み出されたスポーツチーム専用施設データをバッファ１８に格納するようになっている。
【０１２０】
そして、施設情報描画部２１は、バッファ１８に格納されたスポーツチーム専用施設データを取得し、取得されたスポーツチーム専用施設データを用いることによって、文字入力されたチーム名に対応するスポーツチーム専用施設の情報を表示するための描画データを生成して表示処理部１４に出力するようになっている。なお、この描画データは、文字入力されたチーム名に対応するスポーツチーム専用施設の施設名とともに、住所および周辺地図の少なくとも一方を表示できるものであることが好ましい。
【０１２１】
したがって、本実施形態においては、チーム名の文字入力によって、所望のスポーツチーム専用施設を検索してその情報をディスプレイ８に表示することができるようになっている。
【０１２２】
さらに、本実施形態において、施設検索制御部１５は、ユーザが、入力操作部５を用いて所望のスポーツチーム専用施設の施設名の文字入力操作を行った場合に、文字入力された施設名に対応するスポーツチーム専用施設データの読み出し要求を、データ読出制御部１６を介してデータ読取／書込装置３に出力するようになっている。この読み出し要求により、データ読出制御部１６は、記憶装置１２内のナビＤＢから文字入力された施設名に対応するスポーツチーム専用施設データを読み出し、読み出されたスポーツチーム専用施設データをバッファ１８に格納するようになっている。
【０１２３】
そして、施設情報描画部２１は、バッファ１８に格納されたスポーツチーム専用施設データを取得し、取得されたスポーツチーム専用施設データを用いることによって、文字入力された施設名に対応するスポーツチーム専用施設の情報を表示するための描画データを生成して表示処理部１４に出力するようになっている。なお、この描画データは、文字入力された施設名とともに、住所および周辺地図の少なくとも一方を表示できるものであることが好ましい。
【０１２４】
したがって、ユーザが現行の正式な施設名を知っている場合には、施設名の文字入力によって、所望のスポーツチーム専用施設を検索してその情報をディスプレイ８に表示することができるようになっている。
【０１２５】
上記構成に加えて、さらに、本実施形態において、ナビＤＢには、スポーツチーム専用施設データとして、同一のスポーツチーム専用施設についての複数の施設名のデータが格納されている。具体的には、ナビＤＢには、同一のスポーツチーム専用施設について、現行の正式な施設名だけでなく、その施設名の旧称や俗称や略称も必要に応じて格納されている。さらに、ナビＤＢには、スポーツチーム専用施設の施設名についての現在から複数年先までの変更期日および変更後の施設名の情報（以下、施設名変更情報と称する）が含まれている。この施設名変更情報は、ナビＤＢの１回の年次更新によって一度に取得可能となっている。なお、ナビＤＢの年次更新は、データ読出／書込装置３による記録装置１２へのデータの書き込み動作によって実現されるようになっている。
【０１２６】
そして、本実施形態において、一覧描画部１９および表示処理部１４は、スポーツチーム専用施設データを用いることによって、施設名の一覧中に、同一のスポーツチーム専用施設についての複数の施設名として、現行の正式名称に加えて、例えば、旧称、略称および俗称等を表示することができるようになっている。
【０１２７】
したがって、現行の正式名称よりもユーザにとって馴染みがある呼称のされ方で認知されている施設については、正式名称以外の名称（旧称、略称または俗称等）も表示することによって当該専用施設を検索し易くすることができるので、所望のスポーツチーム専用施設をさらに確実に検索することができる。なお、１個のスポーツチーム専用施設についての複数の施設名を表示するか否かを選択させるための操作画面をディスプレイ８に表示し、この操作画面に対する入力操作を待って、複数の施設名を表示するように構成してもよい。
【０１２８】
さらに、本実施形態においては、施設名変更情報を用いることによって、スポーツチーム専用施設の施設名の変更期日後においては、ナビＤＢの年次更新を要することなく、変更後の施設名を用いてスポーツチーム専用施設の検索を行うことができるようになっている。具体的には、一覧描画部１９および表示処理部１４は、施設名の変更期日後においては、施設名変更情報を用いることによって、変更後の施設名をデフォルトとして施設名の一覧中に表示するようになっている。また、施設検索制御部１５は、施設名の変更期日後において、変更後の施設名が文字入力された場合には、施設名変更情報を用いることによって、文字入力された施設名に対応するスポーツチーム専用施設データをナビＤＢから読み出させて施設情報描画部２１に取得させることによって、変更後の施設名に対応するスポーツチーム専用施設の情報をディスプレイ８に表示させることができるようになっている。
【０１２９】
さらにまた、本実施形態において、施設検索制御部１５は、施設名の変更後において、変更前の施設名が文字入力された場合であっても、対応するスポーツチーム専用施設データをナビＤＢから読み出させて施設情報描画部２１に取得させることによって、変更前の施設名を用いたスポーツチーム専用施設の検索を許容するようになっている。
【０１３０】
上記構成の他にも、ナビゲーションメインユニット２には、ナビゲーションのための種々の構成部を有している、
すなわち、ナビゲーションメインユニット２は、目的地設定部２２を有しており、この目的地設定部２２には、入力操作部５が接続されている。目的地設定部２２は、目的地を設定するための最終的な設定画面に対するユーザの入力操作の結果を入力操作部５から取得し、取得された入力操作の結果に応じた目的地を設定するようになっている。
【０１３１】
ナビゲーションメインユニット２は、自車位置計算部２３を有しており、この自車位置計算部２３の入力側には、ＧＰＳレシーバ６および自律航法センサ７がそれぞれ接続されている。
【０１３２】
ＧＰＳレシーバ６は、ＧＰＳ衛星から受信した軌道および時刻を含む情報を自車位置計算部２３に出力するようになっている。自車位置計算部２３は、ＧＰＳレシーバ６から出力された情報に基づいて、自車位置（絶対位置）を計算するようになっている（電波航法）。
【０１３３】
自律航法センサ７は、自車の角速度や車速等を検出し、検出結果を自車位置計算部２３に出力するようになっている。自車位置計算部２３は、自律航法センサ７から出力された検出結果に基づいて、自車位置（相対位置）を計算するようになっている（自律航法）。
【０１３４】
自車位置計算部２３は、算出した自車位置が、地図データにおける道路上にない場合には、地図データにおける該当する道路上の位置に自車位置を補正するマップマッチング処理を行うようになっている。
【０１３５】
データ読出制御部１６には、自車位置計算部２３の計算結果が入力されるようになっている。そして、データ読出制御部１６は、データ読出／書込装置３に対して、自車位置計算部２３によって算出された自車位置およびその周辺の地図データの読み出し要求を出力するようになっている。また、データ読出制御部１６は、データ読出／書込装置３に対して、入力操作部５の操作によって指定された地点およびその周辺の地図データの読み出し要求を出力するようになっている。そして、データ読出／書込装置３は、データ読出制御部１６の読み出し要求に応じた地図データを、記憶装置１２から読み取るようになっている。バッファ１８には、地図描画部２６が接続されており、この地図描画部２６には、バッファ１８に保存された地図データが入力されるようになっている。そして、地図描画部２６は、バッファ１８から入力された地図データに基づいて、自車位置およびその周辺の地図の画像や、入力操作部５の操作によってユーザが指定した地点およびその周辺の地図の画像を表示するための地図描画データを生成して表示処理部１４に出力するようになっている。表示処理部１４は、地図描画部２６から入力された地図描画データに基づいて、地図の画像をディスプレイ８に表示するようになっている。
【０１３６】
自車位置計算部２３と表示処理部１４との間には、自車位置描画部２７が接続されており、この自車位置描画部２７には、自車位置計算部２３によって算出された自車位置の情報が入力されるようになっている。自車位置描画部２７は、自車位置計算部２３から入力された自車位置の情報に基づいて、自車位置のマークを表示するための自車位置描画データを生成するようになっている。自車位置描画部２７によって生成された自車位置描画データは、表示処理部１４に入力されるようになっている。そして、表示処理部１４は、入力された自車位置描画データに基づいて、自車位置のマークを、ディスプレイ８の表示画面に表示された地図上に重ねて表示するようになっている。
【０１３７】
目的地設定部２２、自車位置計算部２３およびバッファ１８の出力側であって、データ読出制御部１６の入力側には、経路計算部２８が接続されている。経路計算部２８は、自車位置計算部２３によって算出された自車位置から、目的地設定部２２によって設定された目的地までの推奨経路を算出するための経路計算を行うようになっている。経路計算部２８は、経路計算の際に、データ読出制御部１６を介してデータ読出／書込装置３にナビＤＢにおける経路計算データ（道路ネットワークデータ等）を読み出させ、この読み出させた経路計算データを経路計算に利用するようになっている。 
【０１３８】
経路計算部２８およびバッファ１８の出力側であって、表示処理部１４の入力側には、案内画像描画部２９が接続されている。案内画像描画部２９は、経路計算部２８によって算出された推奨経路に基づいて、推奨経路の画像や交差点拡大画像等の案内画像を表示するための案内画像描画データを生成するようになっている。案内画像描画データの生成には、必要に応じてバッファ１８に格納された地図データが利用されるようになっている。
【０１３９】
経路計算部２８の出力側には、音声案内部３０が接続されており、この音声案内部３０の出力側には、前述したスピーカ９が接続されている。音声案内部３０は、経路計算部２８によって算出された推奨経路に基づいて、交差点右左折案内等の音声案内を行うための案内音声データを生成し、生成された案内音声データをスピーカ９に対して出力するようになっている。スピーカ９は、音声案内部３０によって生成された音声データを音声出力するようになっている。
【０１４０】
次に、本実施形態の主たる作用について、より具体的な例を用いながら説明する。
【０１４１】
本実施形態においては、まず、操作画面描画部１０および表示処理部１４によって、ディスプレイ８上に、図２に示すような第１の施設検索用操作画面３１を表示する。この第１の施設検索用操作画面３１は、目的地の設定を種々の項目に基づいて行うための各項目を選択する操作ボタン３２〜３９を含むものとなっている。
【０１４２】
次いで、第１の施設検索用操作画面３１に対して、ユーザが、入力操作部５を用いてＰＯＩ（Points of Interest）を選択する操作ボタン３３を操作すると、操作画面描画部１０および表示処理部１４は、ディスプレイ８上に、図３に示すような第２の施設検索用操作画面４１を表示する。この第２の施設検索用操作画面４１は、ＰＯＩの種別の入力に移行するための操作ボタン４２、ＰＯＩの名称の選択入力に移行するための操作ボタン４３、ＰＯＩの名称の文字入力に移行するための操作ボタン４４およびＰＯＩの電話番号の入力に移行するための操作ボタン４５を含むものとなっている。また、第２の施設検索用操作画面４１には、住所として米国の州を選択して入力するための入力画面４６が含まれている。なお、入力画面４６の脇には、入力される州を変更するための変更ボタン４７が表示されており、この変更ボタン４７を操作すると、図４に示すような州の候補を選択可能とされた第３の施設検索用操作画面４９が表示されることになる。そして、この第３の施設検索用操作画面４９において新たな州を選択した場合には、第２の施設検索用操作画面４２における入力画面４６に新たな州が表示されることになる。
【０１４３】
次いで、第２の施設検索用操作画面４１に対して、ユーザが、入力操作部５を用いてＰＯＩの種別の入力に移行するための操作ボタン４２を操作すると、操作画面描画部１０および表示処理部１４は、ディスプレイ８上に、図５に示すような第４の施設検索用操作画面５１を表示する。この第４の施設検索用操作画面５１は、ＰＯＩの種別を複数の候補中から選択して入力するための第１段階の入力画面となっており、この操作画面５１には、ＰＯＩの種別として、銀行、レジャー施設およびレストラン等の各種の種別を選択するための操作ボタン５２〜６１が含まれている。
【０１４４】
次いで、第４の施設検索用操作画面５１において、ユーザが、入力操作部５を用いてレジャー施設を選択するための操作ボタン５７を操作すると、操作画面描画部１０および表示処理部１４は、ディスプレイ８上に、図６に示すような第５の施設検索用操作画面６３を表示する。この第５の施設検索用操作画面６３は、ＰＯＩの種別を複数の候補中から選択して入力するための第２段階の入力画面となっており、この第５の施設検索用操作画面６３には、複数種類のレジャー施設の中から１種類のレジャー施設を選択するための操作ボタン６４〜６８が含まれている。
【０１４５】
次いで、第５の施設検索用操作画面６３に対して、ユーザが、入力操作部５を用いて米国４大スポーツのスタジアムを選択するための操作ボタン６７を操作すると、操作画面描画部１０および表示処理部１４は、ディスプレイ８上に、図７に示すような第６の施設検索用操作画面７０を表示する。この第６の施設検索用操作画面７０は、プロスポーツの種別を選択して入力するための入力画面となっており、この操作画面７０には、野球のスタジアムを選択するための操作ボタン７１、バスケットボールのスタジアムを選択するための操作ボタン７２、アメリカンフットボールのスタジアムを選択するための操作ボタン７３およびアイスホッケーのスタジアムを選択するための操作ボタン７４が含まれている。
【０１４６】
次いで、第６の施設検索用操作画面７０に対して、ユーザが、入力操作部５を用いて野球のスタジアムを選択するための操作ボタン７１を操作すると、操作画面描画部１０および表示処理部１４は、ディスプレイ８上に、図８に示すような第７の施設検索用操作画面７７を表示する。この第７の施設検索用操作画面７７は、プロスポーツチームの種別を選択して入力することが可能な第２段階の入力画面となっている。すなわち、第７の施設検索用操作画面７７には、全ての野球のスタジアムを選択するための操作ボタン７８、メジャーリーグ（ＭＬＢ）のスタジアムを選択するための操作ボタン７９、マイナーリーグ（ＭｉＬＢ）のトリプルＡのスタジアムを選択するための操作ボタン８０およびマイナーリーグのダブルＡのスタジアムを選択するための操作ボタン８１が含まれている。なお、米国４大スポーツの中で現在、傘下に属するプロリーグがあるのは野球だけであるので、本実施形態においては、野球以外の３つのスポーツについて、プロスポーツの種別の選択入力を２段階にわたって行うことはしない。また、第７の施設検索用操作画面７７には、Ａアドバンスト、Ａおよびルーキーリーグ等の他のマイナーリーグを選択する操作ボタンが表示されていてもよい。
【０１４７】
次いで、第７の施設検索用操作画面７７に対して、ユーザが、入力操作部５を用いてメジャーリーグのスタジアムを選択するための操作ボタン７９を操作すると、一覧描画部１９および表示処理部１４は、図９に示すように、ディスプレイ８上に、施設名の一覧としてのメジャーリーグのスタジアム名の一覧８２が含まれた第１のスタジアム名一覧表示画面８３を表示する。この第１のスタジアム名一覧表示画面８３は、一覧８２中の複数のスタジアム名（スタジアムａ〜ｄ）が、自車位置からスタジアムまでの所要走行距離およびスタジアムの方角の情報が並記された状態として表示されたものとなっている。また、一覧８２中の各スタジアム名は、入力操作部５の操作によって選択することが可能な操作ボタン８４〜８７として表示されている。さらに、一覧８２中のスタジアム名は、自車位置からスタジアムまでの所要走行距離（マイル）が小さい順に並べられたものとなっている。さらにまた、第１のスタジアム名一覧表示画面８３には、表示の並び替えまたは表示の並び替えをともなう表示の切り替えに移行するための並び替え／切り替え操作ボタン８８が表示されている。さらに、第１のスタジアム名一覧表示画面８３には、一覧８２の先頭に表示されているスタジアムの住所を表示する画面１３０が含まれている。
【０１４８】
次いで、第１のスタジアム名一覧表示画面８３に対して、ユーザが、入力操作部５を用いて並び替え／切り替え操作ボタン８８を操作すると、一覧描画部１９および表示処理部１４は、図１０に示すように、ディスプレイ８に表示されている第１のスタジアム名一覧表示画面８３上に、並び替え／切り替え項目選択画面８９を表示する。この並び替え／切り替え項目選択画面８９は、スタジアムまでの所要走行距離が小さい順にスタジアム名を並び替えることを選択するための距離選択ボタン９０、スタジアム名をアルファベット順に並び替えることを選択するためのスタジアム名選択ボタン９１および一覧８２中の各スタジアム名に対応するチーム名に表示を切り替えるとともに、チーム名をアルファベット順に並べることを選択するためのチーム名選択ボタン９２を含むものとなっている。
【０１４９】
次いで、並び替え／切り替え項目選択画面８９に対して、ユーザが、入力操作部５を用いてスタジアム名選択ボタン９１を選択して操作すると、一覧描画部１９および表示処理部１４は、図１１に示すように、ディスプレイ８上に、第２のスタジアム名一覧表示画面９３を表示する。この第２のスタジアム名一覧表示画面９３は、第１のスタジアム名一覧表示画面８３と同様に、スタジアム名の一覧９４中の複数のスタジアム名（スタジアムａ〜ｄ）が、自車位置からスタジアムまでの所要走行距離およびスタジアムの方角の情報が並記された状態として表示されたものとなっている。また、一覧９４中の各スタジアム名は、入力操作部５の操作によって選択することが可能な操作ボタン８４〜８７として表示されている。さらに、第２のスタジアム名一覧表示画面９３には、並び替え／切り替え項目選択画面８９に遷移するための並び替え／切り替え操作ボタン８８が表示されている。ただし、第２のスタジアム名一覧表示画面９３においては、第１のスタジアム名一覧表示画面８３と異なり、一覧９４中における各スタジアム名が、アルファベット順に並べ替えられている。また、当該並び替え／切り替え操作ボタン８８には、検索結果がスタジアム名順に並んでいる旨が記入されている。さらに、第２のスタジアム名一覧表示画面９３には、一覧９４の先頭に表示されたスタジアムの住所を表示する画面１４０が含まれている。
【０１５０】
次いで、第２のスタジアム名一覧表示画面９３に対して、ユーザが入力操作部５を用いて、並び替え／切り替え操作ボタン８８および並び替え／切り替え項目選択画面８９におけるチーム名選択ボタン９２（図１１には図示せず）を順次操作すると、一覧描画部１９および表示処理部１４は、図１２に示すように、ディスプレイ８上に、チーム名一覧表示画面９７を表示する。
【０１５１】
このチーム名一覧表示画面９７は、スタジアム名の一覧８２に表示された各スタジアム名に対応するチーム名の一覧９６を含むとともに、この一覧９６中の複数のチーム名（チームａ〜ｄ）が、自車位置からスタジアムまでの所要走行距離およびスタジアムの方角の情報が並記された状態としてアルファベット順に表示されたものとなっている。
【０１５２】
また、一覧９６中の各チーム名は、入力操作部５によって選択することが可能な操作ボタン１００〜１０３として表示されている。さらに、チーム名一覧表示画面９７には、並び替え／切り替え操作ボタン８８が表示されており、この並べ替え／切り替え操作ボタン８８および並び替え／切り替え項目選択画面８９におけるスタジアム名選択ボタン９１（図１２には図示せず）を順次操作することによって、第２のスタジアム名一覧表示画面９３に戻ることができるようになっている。
【０１５３】
ここで、第２のスタジアム名一覧表示画面９３における一覧９４中の各スタジアム名およびチーム名一覧表示画面９７における一覧９６中の各チーム名には、いずれも、所要走行距離および方角の情報が並記されているため、この情報に基づいて、各スタジアム名と、各チーム名との対応関係を容易に把握することができる。例えば、図１１および図１２においては、チームａが本拠を置く専用のスタジアムがスタジアムａであることが分かる。
【０１５４】
したがって、ユーザは、第２のスタジアム名一覧表示画面９３の表示と、チーム名一覧表示画面９７の表示との切り替えによって、チーム名に基づいた所望のスタジアムの検索を行うことができる。
【０１５５】
このようにして、所望のスタジアムのスタジアム名を検索することができた後に、第２のスタジアム名一覧表示画面９３に対して、ユーザが入力操作部５を用いて所望のスタジアム名の操作ボタン８４〜８７を選択して操作すると、施設情報描画部２１および表示処理部１４は、ディスプレイ８上に、図１３に示すような目的地確認画面１０５を表示する。この目的地確認画面１０５は、ユーザが選択した所望のスタジアムの情報として、スタジアム名、所在地（住所）および電話番号が表示されたものとなっている。また、目的地確認画面１０５には、地図表示ボタン１０６が表示されており、この地図表示ボタン１０６を入力操作部５を用いて操作することにより、所望のスタジアムの周辺地図を表示することができる。なお、周辺地図、施設名および住所を、同一の画面上に表示するようにしてもよい。さらに、目的地確認画面１０５には、目的地決定ボタン１０７が表示されており、この目的地決定ボタン１０７を入力操作部５を用いて操作することにより、目的地確認画面１０５に表示されているスタジアムを、ナビゲーションの目的地に設定することができる。すなわち、目的地確認画面１０５は、目的地を最終的に設定するための操作画面となる。
【０１５６】
ところで、チーム名一覧表示画面９７に対して、ユーザが、入力操作部５を用いて所望のチーム名の操作ボタン１００〜１０３を選択して操作すると、一覧描画部１９および表示処理部１４は、ディスプレイ８上に、図１４に示すようなＭｉＬＢチーム名一覧表示画面１０９を表示する。このＭｉＬＢチーム名一覧表示画面１０９は、チーム名一覧表示画面９７においてユーザが選択したメジャーリーグチームの傘下に属するマイナーリーグチームのチーム名の一覧１１０をメジャーリーグチームのチーム名とともに表示したものとなっている。また、各チーム名は、入力操作部５によって選択可能な操作ボタン１１１〜１１６として表示されている。
【０１５７】
次いで、ＭｉＬＢチーム名一覧表示画面１０９に対して、ユーザが、入力操作部５を用いて例えばトリプルＡのチーム（チームａ’）を選択する操作ボタン１１２を操作すると、施設情報描画部２１および表示処理部１４は、ディスプレイ８上に、図１３と同様の目的地確認画面１０５を表示する。この目的地確認画面１０５には、図示はしないが、ユーザが選択したトリプルＡのチームの専用のスタジアム名が、その所在地等とともに表示されることになる。
【０１５８】
これにより、ユーザは、所望のマイナーリーグチームが本拠を置く専用のスタジアムを検索することができる。
【０１５９】
また、図３に戻って、第２の施設検索用操作画面４１に対して、ユーザが入力操作部５を用いてＰＯＩの名称の文字入力に移行するための操作ボタン４４を操作すると、操作画面描画部１０および表示処理部１４は、ディスプレイ８上に、図１５に示すような文字入力画面１１９を表示する。この文字入力画面１１９は、入力キー１２０と、確認画面１２１とからなる。
【０１６０】
この文字入力画面１１９に対して、ユーザが入力操作部５を用いた入力キー１２０の選択によって所望のスタジアム名を入力すると、施設情報描画部２１および表示処理部１４は、ディスプレイ８上に、文字入力されたスタジアム名を所在地等とともに示す目的地確認画面１０９を表示する。また、文字入力画面１１９に対して、ユーザが入力操作部５を用いて所望の野球チームのチーム名を入力すると、施設情報描画部２１および表示処理部１４は、ディスプレイ８上に、文字入力されたチーム名に対応するスタジアム名を所在地等とともに示す目的地確認画面１０９を表示する。
【０１６１】
なお、チーム名の文字入力による検索の場合には、そのチームの専用施設として、スタジアム以外の施設も検出される可能性がある。したがって、その場合には、複数個の専用施設から、さらにスタジアムに限定するための操作画面を表示し、この操作画面においてスタジアムが選択されたうえで、目的地確認画面１０９を表示するようにしてもよい。
【０１６２】
これにより、ユーザは、文字入力によって所望のスタジアムを検索することができる。
【０１６３】
以上述べたように、本実施形態によれば、チーム名に基づいてプロスポーツチームの専用施設を検索することができるので、命名権ビジネスの影響等による名称の変更にかかわらず所望のスポーツチーム専用施設を確実に検索することができる。
【０１６４】
なお、スポーツチーム専用施設は、スタジアムに限る必要はなく、キャンプが行われる施設であってもよい。
【０１６５】
（第２実施形態）
次に、本発明に係る施設検索装置の第２実施形態について、第１実施形態との差異を中心に説明する。
【０１６６】
本実施形態における施設検索装置は、第１実施形態と同様に、施設名の変更にかかわらず、所望の施設を検索することができるように形成されており、基本構成は第１実施形態と同様である。
【０１６７】
ただし、本実施形態における検索対象は、第１実施形態のようなプロスポーツチームの専用施設ではなく、実演団体の専用施設とされている。
【０１６８】
本実施形態において、入力操作部５は、種別入力装置として機能し、ユーザは、所望の実演団体の専用施設（以下、実演団体専用施設と略称する）を検索する際に、入力操作部５を用いることによって、検索条件としての実演内容の種別および施設の種別の入力操作を行うことができるようになっている。実演内容の種別としては、歌劇、演劇および演奏等を挙げることができる。施設の種別としては、例えば、劇場やコンサートホール等を挙げることができる。これらの種別の入力は、例えば、図５や図６に示した施設検索用操作画面５１，６３等に対して行うようにしてもよい。
【０１６９】
また、入力操作部５は、住所入力装置として機能し、ユーザが所望の実演団体専用施設を検索する際に、入力操作部５を用いることによって、検索条件としての住所の入力操作を行うことができるようになっている。この住所の入力操作は、例えば、図３に示した施設検索用操作画面４１に対して行うようにしてもよい。
【０１７０】
さらに、入力操作部５は、団体名文字入力装置として機能し、ユーザが所望の実演団体専用施設を検索する際に入力操作部５を用いることによって、検索条件としての所望の実演団体専用施設に対応する団体名の文字入力操作を行うことができるようになっている。この団体名の文字入力操作は、例えば、図１５に示した文字入力画面に対して行うようにしてもよい。
【０１７１】
さらにまた、入力操作部５は、施設名文字入力装置として機能し、ユーザが所望の実演団体専用施設を検索する際に、入力操作部５を用いることによって、検索条件としての所望の実演団体専用施設の施設名の文字入力操作を行うことができるようになっている。この施設名の文字入力操作は、例えば、図１５に示した文字入力画面に対して行うようにしてもよい。
【０１７２】
本実施形態において、ナビＤＢは、実演団体専用施設に関するデータ（以下、実演団体専用施設データと称する）が格納されたデータベースとしての機能を有している。ナビＤＢには、例えば、実演団体専用施設についての施設名、団体名、住所、施設種別および実演内容種別等が、互いに対応関係を有した状態として格納されていてもよい。
【０１７３】
また、本実施形態において、操作画面描画部１０は、所望の実演団体専用施設を検索するための施設検索用操作画面等の種々の操作画面の描画データを生成し、生成された描画データを表示処理部１４に出力するようになっている。表示処理部１４は、操作画面描画部１０から出力された描画データに対応する操作画面をディスプレイ８に表示するようになっている。
【０１７４】
さらに、本実施形態において、施設検索制御部１５は、入力操作部５を用いて入力された検索条件を満足する実演団体専用施設（以下、該当実演団体専用施設と称する）の実演団体専用施設データの読み出し要求をデータ読出／書込装置３に出力するようになっている。なお、前記検索条件の入力操作は、複数個の施設検索用操作画面を順次用いて複数回にわたって行われる場合がある。また、該当実演団体専用施設は、複数個存在する場合がある。
【０１７５】
この読み出し要求により、データ読出／書込装置３は、記憶装置１２に記憶されたナビＤＢから、該当実演団体専用施設についての実演団体専用施設データ（以下、該当実演団体専用施設データと称する）を読み出すようになっている。
【０１７６】
そして、データ読出／書込装置３は、読み出された該当実演団体専用施設データを、データ読出／書込装置３に接続されたバッファ１８に一時的に格納するようになっている。
【０１７７】
本実施形態において、一覧描画部１９は、表示処理部１４および施設検索制御部１５とともに、実演施設名一覧表示処理装置、団体名一覧表示処理装置および表示切り替え処置装置として機能するようになっている。
【０１７８】
すなわち、施設検索制御部１５は、入力操作部５を用いて入力された検索条件としての施設の種別、実演内容の種別および住所の少なくとも１つの条件を満足する該当実演団体専用施設データをデータ読出制御部１６およびデータ読出／書込装置３を介してナビＤＢから読み出し、読み出された該当実演団体専用施設データをバッファ１８に格納するようになっている。
【０１７９】
さらに、一覧描画部１９は、バッファ１８に格納された該当実演団体専用施設データを取得し、取得された該当実演団体専用施設データを利用することによって、該当実演団体専用施設の施設名の一覧を表示するための描画データ（以下、施設名一覧描画データと称する）または該当実演団体専用施設に対応する団体名の一覧を施設名との対応関係を判別可能な状態として表示するための描画データ（以下、団体名一覧描画データと称する）を選択的に生成するようになっている。一覧描画部１９によって生成された施設名一覧描画データまたは団体名一覧描画データは、表示処理部１４に出力されるようになっている。
【０１８０】
そして、表示処理部１４は、施設名一覧描画データを用いた施設名の一覧のディスプレイ８への表示処理または団体名一覧描画データを用いた団体名の一覧のディスプレイ８への表示処理を選択的に行うようになっている。
【０１８１】
なお、施設名の一覧または団体名の一覧のいずれを表示するかの選択は、その選択を行うことが可能とされた操作画面（例えば、後述する並び替え／切り替え項目選択画面２０４（図１７参照））を表示し、この操作画面に対するユーザの入力操作（選択）に基づいて決定されるようになっている。
【０１８２】
これにより、ディスプレイ８には、施設名の一覧または団体名の一覧が、施設名と団体名との対応関係を両一覧の表示の切り替えによって判別可能な状態として表示されるようになっている。具体的には、施設名の一覧および団体名の一覧の双方において、施設までの距離および方角を施設名または団体名の脇に並記することによって、施設名と団体名との対応関係を判別可能にしてもよい。あるいは、施設名の一覧における施設名と、団体名の一覧における団体名とを、同じ並び順に表示するようにしてもよい。このようにすれば、ユーザが、両一覧を表示の切り替えによって交互に視ることによって、施設名と団体名との対応関係を容易に判別することができる。
【０１８３】
ここで、本実施形態における施設名の一覧の表示として、例えば、図１６に示すようなコンサートホール名一覧表示画面２００を表示してもよい。このコンサートホール名一覧表示画面２００には、実演団体専用施設の施設名の一覧としてのコンサートホールのコンサートホール名の一覧２０１が含まれている。一覧２０１中の複数のコンサートホール名（コンサートホールａ〜ｄ）は、自車位置からコンサートホールまでの所要走行距離およびコンサートホールの方角が並記された状態としてアルファベット順に表示されている。また、コンサートホール名一覧表示画面２００には、一覧２０１中の先頭に並んだコンサートホール名に対応するコンサートホールの住所を表示する表示画面２０３が表示されている。さらに、コンサートホール名一覧表示画面２００には、並び替え／切り替え操作ボタン２０２が入力操作部５の操作によって選択可能な状態として表示されており、この並び替え／切り替え操作ボタン２０２には、検索結果がコンサートホール名順に並んでいる旨が記載されている。
【０１８４】
そして、ユーザが、並び替え／切り替え操作ボタン２０２を操作すると、図１７に示すように、コンサートホール名一覧表示画面２００上に、並び替え／切り替え項目選択画面２０４が表示されるようになっている。この並び替え／切り替え項目選択画面２０４は、距離選択ボタン９０、コンサートホール名をアルファベット順に並べることを選択するためのコンサートホール名選択ボタン２０６および一覧２０１中の各コンサートホール名に対応する団体名としてのオーケストラ名に表示を切り替えるとともに、オーケストラ名をアルファベット順に並べることを選択するためのオーケストラ名選択ボタン２０７を含むものとなっている。
【０１８５】
さらに、並び替え／切り替え項目選択画面２０４に対して、ユーザが、入力操作部５を用いてオーケストラ名選択ボタン２０７を選択して操作すると、図１８に示すように、オーケストラ名一覧表示画面２１０が表示されるようになっている。このオーケストラ名一覧表示画面２１０は、コンサートホール名の一覧２０１に表示された各コンサートホール名に対応するオーケストラ名の一覧２１１を含むとともに、この一覧２１１中の各オーケストラ名が、自車位置からコンサートホールまでの所要走行距離およびコンサートホールの方角が並記された状態としてアルファベット順に表示されたものとなっている。また、オーケストラ名一覧表示画面２１０には、一覧２１１中の先頭に並べられたオーケストラ名に対応するコンサートホールの住所の表示画面２１２が表示されている。さらに、オーケストラ名一覧表示画面２１０には、並び替え／切り替え操作ボタン２０２が表示されており、この並び替え／切り替え操作ボタン２０２および並び替え／切り替え項目選択画面２０４におけるコンサートホール名選択ボタン２０６（図１８には図示せず）を順次操作することによって、コンサートホール名一覧表示画面２００に戻ることができるようになっている。
【０１８６】
このような図１６〜図１８に示した例によれば、ユーザは、コンサートホール名一覧表示画面２００とオーケストラ名一覧表示画面２１０とを比較することによって、例えば、オーケストラａの専用のコンサートホールがコンサートホールａであることを容易に判別することができ、オーケストラ名に基づいて所望のコンサートホールａを確実に検索することができる。
【０１８７】
したがって、本実施形態によれば、施設名の一覧の表示と、団体名の一覧の表示との切り替えによって、ユーザが所望の実演団体専用施設を検索することができる。
【０１８８】
さらに、本実施形態において、施設情報描画部２１は、表示処理部１４および施設検索制御部１５とともに施設情報表示処理装置として機能するようになっている。
【０１８９】
すなわち、施設検索制御部１５は、ユーザが、入力操作部５を用いて所望の実演団体専用施設に対応する団体名の文字入力操作を行った場合に、文字入力された団体名に対応する実演団体専用施設データの読み出し要求を、データ読出制御部１６を介してデータ読取／書込装置３に出力するようになっている。この読み出し要求により、データ読出制御部１６は、記憶装置１２内のナビＤＢから文字入力された団体名に対応する実演団体専用施設データを読み出し、読み出された実演団体専用施設データをバッファ１８に格納するようになっている。
【０１９０】
そして、施設情報描画部２１は、バッファ１８に格納された実演団体専用施設データを取得し、取得された実演団体専用施設データを用いることによって、文字入力された団体名に対応する実演団体専用施設の情報を表示するための描画データを生成して表示処理部１４に出力するようになっている。なお、この描画データは、文字入力された団体名に対応する実演団体専用施設の施設名とともに、住所および周辺地図の少なくとも一方を表示できるものであることが好ましい。
【０１９１】
したがって、本実施形態においては、団体名の文字入力によって、所望の実演団体専用施設を検索してその情報をディスプレイ８に表示することができるようになっている。ここで、実演団体専用施設の情報としては、例えば、第１実施形態における目的地確認画面１０５と同様の画面を表示するようにしてもよい。ただし、第１実施形態とは異なり、目的地確認画面中には、実演団体専用施設の施設名が、住所や地図表示ボタン１０６とともに表示されることになる。
【０１９２】
さらに、本実施形態において、施設検索制御部１５は、ユーザが、入力操作部５を用いて所望の実演団体専用施設の施設名の文字入力操作を行った場合に、文字入力された施設名に対応する実演団体専用施設データの読み出し要求を、データ読出制御部１６を介してデータ読取／書込装置３に出力するようになっている。この読み出し要求により、データ読出制御部１６は、記憶装置１２内のナビＤＢから文字入力された施設名に対応する実演団体専用施設データを読み出し、読み出された実演団体専用施設データをバッファ１８に格納するようになっている。
【０１９３】
そして、施設情報描画部２１は、バッファ１８に格納された実演団体専用施設データを取得し、取得された実演団体専用施設データを用いることによって、文字入力された施設名に対応する実演団体専用施設の情報を表示するための描画データを生成して表示処理部１４に出力するようになっている。なお、この描画データは、文字入力された施設名とともに、住所および周辺地図の少なくとも一方を表示できるものであることが好ましい。
【０１９４】
したがって、ユーザが現行の正式な施設名を知っている場合には、施設名の文字入力によって、所望の実演団体専用施設を検索してその情報をディスプレイ８に表示することができるようになっている。
【０１９５】
上記構成に加えて、さらに、本実施形態において、ナビＤＢには、実演団体専用施設データとして、同一の実演団体専用施設についての複数の施設名のデータが格納されている。具体的には、ナビＤＢには、同一の実演団体専用施設について、現行の正式な施設名だけでなく、その施設名の旧称や俗称や略称も必要に応じて格納されている。さらに、ナビＤＢには、実演団体専用施設の施設名についての現在から複数年先までの変更期日および変更後の施設名の情報（以下、施設名変更情報と称する）が含まれている。この施設名変更情報は、ナビＤＢの１回の年次更新によって一度に取得可能となっている。
【０１９６】
そして、本実施形態において、一覧描画部１９および表示処理部１４は、実演団体専用施設データを用いることによって、施設名の一覧中に、同一の実演団体専用施設についての複数の施設名として、現行の正式名称に加えて、例えば、旧称、略称および俗称等を表示することができるようになっている。
【０１９７】
したがって、現行の正式名称よりもユーザにとって馴染みがある呼称のされ方で認知されている施設については、正式名称以外の名称（旧称、略称または俗称等）も表示することによって当該専用施設を検索し易くすることができるので、所望の実演団体専用施設をさらに確実に検索することができる。
【０１９８】
さらに、本実施形態においては、施設名変更情報を用いることによって、実演団体専用施設の施設名の変更期日後においては、ナビＤＢの年次更新を要することなく、変更後の施設名を用いて実演団体専用施設の検索を行うことができるようになっている。
【０１９９】
さらにまた、本実施形態において、施設検索制御部１５は、施設名の変更後において、変更前の施設名が文字入力された場合であっても、変更前の施設名を用いた実演団体専用施設の検索を許容するようになっている。
【０２００】
以上述べたように、本実施形態によれば、団体名に基づいて実演団体専用施設を検索することができるので、命名権ビジネスの影響等による名称の変更にかかわらず所望の実演団体専用施設を確実に検索することができる。
【０２０１】
（第３実施形態）
次に、本発明に係る施設検索装置の第３実施形態について、第１実施形態との差異を中心に説明する。
【０２０２】
本実施形態における施設検索装置は、第１実施形態と同様に、施設名の変更にかかわらず、所望の施設を検索することができるように形成されており、基本構成は第１実施形態と同様である。
【０２０３】
ただし、本実施形態における検索対象は、第１実施形態のようなプロスポーツチームの専用施設ではなく、イベントの開催施設とされている。
【０２０４】
本実施形態において、入力操作部５は、種別入力装置として機能し、ユーザは、所望のイベントの開催施設（以下、イベント開催施設と略称する）を検索する際に、入力操作部５を用いることによって、検索条件としてのイベントの種別および施設の種別の入力操作を行うことができるようになっている。イベントの種別としては、モータースポーツ、大学アメフトチャンピオンシップ、競馬および相撲等のスポーツ大会を挙げることができる。施設の種別としては、例えば、レーシングサーキット、体育館および国技館等を挙げることができる。これらの種別の入力は、例えば、図５や図６に示した施設検索用操作画面５１，６３等に対して行うようにしてもよい。
【０２０５】
また、入力操作部５は、住所入力装置として機能し、ユーザが所望のイベント開催施設を検索する際に、入力操作部５を用いることによって、検索条件としての住所の入力操作を行うことができるようになっている。この住所の入力操作は、例えば、図３に示した施設検索用操作画面４１に対して行うようにしてもよい。
【０２０６】
さらに、入力操作部５は、イベント名文字入力装置として機能し、ユーザが所望のイベント開催施設を検索する際に入力操作部５を用いることによって、検索条件としての所望のイベント開催施設に対応するイベント名の文字入力操作を行うことができるようになっている。このイベント名の文字入力操作は、例えば、図１５に示した文字入力画面に対して行うようにしてもよい。また、イベント名としては、前述した各スポーツ大会の大会名を挙げることができる。
【０２０７】
さらにまた、入力操作部５は、施設名文字入力装置として機能し、ユーザが所望のイベント開催施設を検索する際に、入力操作部５を用いることによって、検索条件としての所望のイベント開催施設の施設名の文字入力操作を行うことができるようになっている。この施設名の文字入力操作は、例えば、図１５に示した文字入力画面に対して行うようにしてもよい。
【０２０８】
本実施形態において、ナビＤＢは、イベント開催施設に関するデータ（以下、イベント開催施設データと称する）が格納されたデータベースとしての機能を有している。ナビＤＢには、例えば、イベント開催施設についての施設名、イベント名、住所、施設種別およびイベント種別等が、互いに対応関係を有した状態として格納されていてもよい。
【０２０９】
また、本実施形態において、操作画面描画部１０は、所望のイベント開催施設を検索するための施設検索用操作画面等の種々の操作画面の描画データを生成し、生成された描画データを表示処理部１４に出力するようになっている。表示処理部１４は、操作画面描画部１０から出力された描画データに対応する操作画面をディスプレイ８に表示するようになっている。
【０２１０】
さらに、本実施形態において、施設検索制御部１５は、入力操作部５を用いて入力された検索条件を満足するイベント開催施設（以下、該当イベント開催施設と称する）のイベント開催施設データの読み出し要求をデータ読出／書込装置３に出力するようになっている。なお、前記検索条件の入力操作は、複数個の施設検索用操作画面を順次用いて複数回にわたって行われる場合がある。また、該当イベント開催施設は、複数個存在する場合がある。
【０２１１】
この読み出し要求により、データ読出／書込装置３は、記憶装置１２に記憶されたナビＤＢから、該当イベント開催施設についてのイベント開催施設データ（以下、該当イベント開催施設データと称する）を読み出すようになっている。
【０２１２】
そして、データ読出／書込装置３は、読み出された該当イベント開催施設データを、データ読出／書込装置３に接続されたバッファ１８に一時的に格納するようになっている。
【０２１３】
本実施形態において、一覧描画部１９は、表示処理部１４および施設検索制御部１５とともに、開催施設名一覧表示処理装置、イベント名一覧表示処理装置および表示切り替え処置装置として機能するようになっている。
【０２１４】
すなわち、施設検索制御部１５は、入力操作部５を用いて入力された検索条件としての施設の種別、イベントの種別および住所の少なくとも１つの条件を満足する該当イベント開催施設データをデータ読出制御部１６およびデータ読出／書込装置３を介してナビＤＢから読み出し、読み出された該当イベント開催施設データをバッファ１８に格納するようになっている。
【０２１５】
さらに、一覧描画部１９は、バッファ１８に格納された該当イベント開催施設データを取得し、取得された該当イベント開催施設データを利用することによって、該当イベント開催施設の施設名の一覧を表示するための描画データ（以下、施設名一覧描画データと称する）または該当イベント開催施設に対応するイベント名の一覧を施設名との対応関係を判別可能な状態として表示するための描画データ（以下、イベント名一覧描画データと称する）を選択的に生成するようになっている。一覧描画部１９によって生成された施設名一覧描画データまたはイベント名一覧描画データは、表示処理部１４に出力されるようになっている。
【０２１６】
そして、表示処理部１４は、施設名一覧描画データを用いた施設名の一覧のディスプレイ８への表示処理またはイベント名一覧描画データを用いたイベント名の一覧のディスプレイ８への表示処理を選択的に行うようになっている。
【０２１７】
なお、施設名の一覧またはイベント名の一覧のいずれを表示するかの選択は、その選択を行うことが可能とされた操作画面（例えば、後述する並び替え／切り替え項目選択画面２２４）を表示し、この操作画面に対するユーザの入力操作（選択）に基づいて決定されるようになっている。
【０２１８】
これにより、ディスプレイ８には、施設名の一覧またはイベント名の一覧が、施設名とイベント名との対応関係を両一覧の表示の切り替えによって判別可能な状態として表示されるようになっている。具体的には、施設名の一覧およびイベント名の一覧の双方において、施設までの距離および方角を施設名またはイベント名の脇に並記することによって、施設名とイベント名との対応関係を判別可能にしてもよい。あるいは、施設名の一覧における施設名と、イベント名の一覧におけるイベント名とを、同じ並び順に表示するようにしてもよい。このようにすれば、ユーザが、両一覧を表示の切り替えによって交互に視ることによって、施設名とイベント名との対応関係を容易に判別することができる。
【０２１９】
ここで、本実施形態における施設名の一覧の表示として、例えば、図１９に示すようなサーキット名一覧表示画面２２０を表示してもよい。このサーキット名一覧表示画面２２０には、イベント開催施設の施設名の一覧としてのレーシングサーキットのサーキット名の一覧２２１が含まれている。一覧２２１中の複数のサーキット名（サーキットａ〜ｄ）は、自車位置からレーシングサーキットまでの所要走行距離およびレーシングサーキットの方角が並記された状態としてアルファベット順に表示されている。また、サーキット名一覧表示画面２２０には、一覧２２１中の先頭に並んだサーキット名に対応するレーシングサーキットの住所を表示する表示画面２２３が含まれている。さらに、サーキット名一覧表示画面２２０には、並び替え／切り替え操作ボタン２２２が入力操作部５の操作によって選択可能な状態として表示されており、この並び替え／切り替え操作ボタン２２２には、検索結果がサーキット名順に並んでいる旨が記載されている。
【０２２０】
そして、ユーザが、並び替え／切り替え操作ボタン２２２を操作すると、図２０に示すように、サーキット名一覧表示画面２２０上に、並び替え／切り替え項目選択画面２２４が表示されるようになっている。この並び替え／切り替え項目選択画面２２４は、距離選択ボタン９０、サーキット名をアルファベット順に並べることを選択するためのサーキット名選択ボタン２２６および一覧２２１中の各サーキット名に対応するイベント名としてのレース名に表示を切り替えるとともに、レース名をアルファベット順に並べることを選択するためのレース名選択ボタン２２７を含むものとなっている。
【０２２１】
さらに、並び替え／切り替え項目選択画面２２４に対して、ユーザが、入力操作部５を用いてレース名選択ボタン２２７を選択して操作すると、図２１に示すように、レース名一覧表示画面２３０が表示されるようになっている。このレース名一覧表示画面２３０は、サーキット名の一覧２２１に表示された各サーキット名に対応するレース名の一覧２３１を含むとともに、この一覧２３１中の各レース名が、自車位置からレーシングサーキットまでの所要走行距離およびレーシングサーキットの方角が並記された状態としてアルファベット順に表示されたものとなっている。また、レース名一覧表示画面２３０には、一覧２３１の先頭に並んだレース名が開催されるレーシングサーキットの住所を表示する表示画面２３２が含まれている。さらに、レース名一覧表示画面２３０には、並び替え／切り替え操作ボタン２２２が表示されており、この並び替え／切り替え操作ボタン２２２および並び替え／切り替え項目選択画面２２４におけるサーキット名選択ボタン２２６（図２１には図示せず）を順次操作することによって、サーキット名一覧表示画面２２０に戻ることができるようになっている。
【０２２２】
このような図１９〜図２１に示した例によれば、ユーザは、サーキット名一覧表示画面２２０とレース名一覧表示画面２３０とを比較することによって、例えば、レースａが開催される専用のレーシングサーキットがサーキットａであることを容易に判別することができ、レース名に基づいて所望のレーシングサーキットａを確実に検索することができる。
【０２２３】
したがって、本実施形態によれば、施設名の一覧の表示と、イベント名の一覧の表示との切り替えによって、ユーザが所望のイベント開催施設を検索することができる。
【０２２４】
さらに、本実施形態において、施設情報描画部２１は、表示処理部１４および施設検索制御部１５とともに施設情報表示処理装置として機能するようになっている。
【０２２５】
すなわち、施設検索制御部１５は、ユーザが、入力操作部５を用いて所望のイベント開催施設に対応するイベント名の文字入力操作を行った場合に、文字入力されたイベント名に対応するイベント開催施設データの読み出し要求を、データ読出制御部１６を介してデータ読取／書込装置３に出力するようになっている。この読み出し要求により、データ読出制御部１６は、記憶装置１２内のナビＤＢから文字入力されたイベント名に対応するイベント開催施設データを読み出し、読み出されたイベント開催施設データをバッファ１８に格納するようになっている。
【０２２６】
そして、施設情報描画部２１は、バッファ１８に格納されたイベント開催施設データを取得し、取得されたイベント開催施設データを用いることによって、文字入力されたイベント名に対応するイベント開催施設の情報を表示するための描画データを生成して表示処理部１４に出力するようになっている。なお、この描画データは、文字入力されたイベント名に対応するイベント開催施設の施設名とともに、住所および周辺地図の少なくとも一方を表示できるものであることが好ましい。
【０２２７】
したがって、本実施形態においては、イベント名の文字入力によって、所望のイベント開催施設を検索してその情報をディスプレイ８に表示することができるようになっている。ここで、イベント開催施設の情報としては、例えば、第１実施形態における目的地確認画面１０５と同様の画面を表示するようにしてもよい。ただし、第１実施形態とは異なり、目的地確認画面中には、イベント開催施設の施設名が、住所や地図表示ボタン１０６とともに表示されることになる。
【０２２８】
さらに、本実施形態において、施設検索制御部１５は、ユーザが、入力操作部５を用いて所望のイベント開催施設の施設名の文字入力操作を行った場合に、文字入力された施設名に対応するイベント開催施設データの読み出し要求を、データ読出制御部１６を介してデータ読取／書込装置３に出力するようになっている。この読み出し要求により、データ読出制御部１６は、記憶装置１２内のナビＤＢから文字入力された施設名に対応するイベント開催施設データを読み出し、読み出されたイベント開催施設データをバッファ１８に格納するようになっている。
【０２２９】
そして、施設情報描画部２１は、バッファ１８に格納されたイベント開催施設データを取得し、取得されたイベント開催施設データを用いることによって、文字入力された施設名に対応するイベント開催施設の情報を表示するための描画データを生成して表示処理部１４に出力するようになっている。なお、この描画データは、文字入力された施設名とともに、住所および周辺地図の少なくとも一方を表示できるものであることが好ましい。
【０２３０】
したがって、ユーザが現行の正式な施設名を知っている場合には、施設名の文字入力によって、所望のイベント開催施設を検索してその情報をディスプレイ８に表示することができるようになっている。
【０２３１】
上記構成に加えて、さらに、本実施形態において、ナビＤＢには、イベント開催施設データとして、同一のイベント開催施設についての複数の施設名のデータが格納されている。具体的には、ナビＤＢには、同一のイベント開催施設について、現行の正式な施設名だけでなく、その施設名の旧称や俗称や略称も必要に応じて格納されている。さらに、ナビＤＢには、イベント開催施設の施設名についての現在から複数年先までの変更期日および変更後の施設名の情報（以下、施設名変更情報と称する）が含まれている。この施設名変更情報は、ナビＤＢの１回の年次更新によって一度に取得可能となっている。
【０２３２】
そして、本実施形態において、一覧描画部１９および表示処理部１４は、イベント開催施設データを用いることによって、施設名の一覧中に、同一のイベント開催施設についての複数の施設名として、現行の正式名称に加えて、例えば、旧称、略称および俗称等を表示することができるようになっている。
【０２３３】
したがって、現行の正式名称よりもユーザにとって馴染みがある呼称のされ方で認知されている施設については、正式名称以外の名称（旧称、略称または俗称等）も表示することによって当該専用施設を検索し易くすることができるので、所望のイベント開催施設をさらに確実に検索することができる。
【０２３４】
さらに、本実施形態においては、施設名変更情報を用いることによって、イベント開催施設の施設名の変更期日後においては、ナビＤＢの年次更新を要することなく、変更後の施設名を用いてイベント開催施設の検索を行うことができるようになっている。
【０２３５】
さらにまた、本実施形態において、施設検索制御部１５は、施設名の変更後において、変更前の施設名が文字入力された場合であっても、変更前の施設名を用いたイベント開催施設の検索を許容するようになっている。
【０２３６】
以上述べたように、本実施形態によれば、イベント名に基づいてイベント開催施設を検索することができるので、命名権ビジネスの影響等による名称の変更にかかわらず所望のイベント開催施設を確実に検索することができる。
【０２３７】
なお、本発明は、前述した実施の形態に限定されるものではなく、必要に応じて種々の変更が可能である。
【０２３８】
例えば、本発明は、車載用ナビゲーション装置以外の機器（例えば、携帯電話機等の移動体通信機器）を用いたスポーツチーム専用施設の検索に適用するようにしてもよい。
【図面の簡単な説明】
【０２３９】
【図１】本発明に係る施設検索装置の第１実施形態において、車載用ナビゲーション装置を示すブロック図
【図２】本発明に係る施設検索装置の第１実施形態において、第１の施設検索用操作画面を示す図
【図３】本発明に係る施設検索装置の第１実施形態において、第２の施設検索用操作画面を示す図
【図４】本発明に係る施設検索装置の第１実施形態において、第３の施設検索用操作画面を示す図
【図５】本発明に係る施設検索装置の第１実施形態において、第４の施設検索用操作画面を示す図
【図６】本発明に係る施設検索装置の第１実施形態において、第５の施設検索用操作画面を示す図
【図７】本発明に係る施設検索装置の第１実施形態において、第６の施設検索用操作画面を示す図
【図８】本発明に係る施設検索装置の第１実施形態において、第７の施設検索用操作画面を示す図
【図９】本発明に係る施設検索装置の第１実施形態において、第１のスタジアム名一覧表示画面を示す図
【図１０】本発明に係る施設検索装置の第１実施形態において、第１のスタジアム名一覧表示画面上への並び替え／切り替え項目選択画面の表示状態を示す図
【図１１】本発明に係る施設検索装置の第１実施形態において、第２のスタジアム名一覧表示画面を示す図
【図１２】本発明に係る施設検索装置の第１実施形態において、チーム名一覧表示画面を示す図
【図１３】本発明に係る施設検索装置の第１実施形態において、目的地確認画面を示す図
【図１４】本発明に係る施設検索装置の第１実施形態において、ＭｉＬＢチーム名一覧表示画面を示す図
【図１５】本発明に係る施設検索装置の第１実施形態において、文字入力画面を示す図
【図１６】本発明に係る施設検索装置の第２実施形態において、コンサートホール名一覧表示画面を示す図
【図１７】本発明に係る施設検索装置の第２実施形態において、コンサートホール名一覧表示画面上への並び替え／切り替え項目選択画面の表示状態を示す図
【図１８】本発明に係る施設検索装置の第２実施形態において、オーケストラ名一覧表示画面を示す図
【図１９】本発明に係る施設検索装置の第３実施形態において、サーキット名一覧表示画面を示す図
【図２０】本発明に係る施設検索装置の第３実施形態において、サーキット名一覧表示画面上への並び替え／切り替え項目選択画面の表示状態を示す図
【図２１】本発明に係る施設検索装置の第３実施形態において、レース名一覧表示画面を示す図
【符号の説明】
【０２４０】
１  車載用ナビゲーション装置
５  入力操作部
１４  表示処理部
１９  施設名／チーム名一覧描画部
２１  施設情報描画部
【図１】
2008097343.tif 000003
【図２】
2008097343.tif 000004
【図３】
2008097343.tif 000005
【図４】
2008097343.tif 000006
【図５】
2008097343.tif 000007
【図６】
2008097343.tif 000008
【図７】
2008097343.tif 000009
【図８】
2008097343.tif 000010
【図９】
2008097343.tif 000011
【図１０】
2008097343.tif 000012
【図１１】
2008097343.tif 000013
【図１２】
2008097343.tif 000014
【図１３】
2008097343.tif 000015
【図１４】
2008097343.tif 000016
【図１５】
2008097343.tif 000017
【図１６】
2008097343.tif 000018
【図１７】
2008097343.tif 000019
【図１８】
2008097343.tif 000020
【図１９】
2008097343.tif 000021
【図２０】
2008097343.tif 000022
【図２１】
2008097343.tif 000023